(57)【要約】  複数の流体処理領域を備える流体処理ネットワークをモニタリングする方法であって、ネットワークの既知の地点で、測定された現在のパラメータ値を受信し、測定された現在のパラメータ値から、アクティブなネットワークの領域を決定し、全ての他の領域は非アクティブとし、流体処理ネットワークのモデルから、ネットワークの非アクティブ領域を除き、現在のアクティブなネットワークモデルを提供し少なくとも既知の地点から離れた地点において、現在のアクティブなネットワークの現在のパラメータ値を決定し、離れた地点におけるパラメータ値は、測定された現在のパラメータ値及び現在のアクティブなネットワークモデルを用いて決定され、現在のパラメータ値に基づいて、１又は２以上の事前に特定された境界が侵入されたかを決定し１又は２以上の境界が侵入された場合に、予め定められた動作を実行する。
2015507275.tif 000002
【特許請求の範囲】
【請求項１】
複数の流体処理領域を備える流体処理ネットワークをモニタリングする方法であって、
前記ネットワークの既知の地点で、測定された現在のパラメータ値を受信するステップ、
前記測定された現在のパラメータ値から、アクティブな前記ネットワークの領域を決定し、全ての他の領域は非アクティブとするステップ、
前記流体処理ネットワークのモデルから、前記ネットワークの非アクティブ領域を除き、現在のアクティブなネットワークモデルを提供するステップ、
少なくとも前記既知の地点から離れた地点において、現在のアクティブなネットワークの現在のパラメータ値を決定するステップであって、前記離れた地点における前記パラメータ値は、前記測定された現在のパラメータ値及び前記現在のアクティブなネットワークモデルを用いて決定されるステップ、
前記現在のパラメータ値に基づいて、１又は２以上の事前に特定された境界が侵入されたかを決定するステップ、及び
１又は２以上の前記境界が侵入された場合に、予め定められた動作を実行するステップ、
を備える方法。
【請求項２】
前記現在のアクティブなネットワークモデルは、前記測定された現在のパラメータ値の周期的に受信されるアップデート情報を用いて、周期的にアップデートされる
請求項１に記載の方法。
【請求項３】
アクティブになった非アクティブ領域、又は、非アクティブになったアクティブ領域が、前記測定された現在のパラメータ値の前記アップデート情報から決定される、
請求項２に記載の方法。
【請求項４】
測定された前記現在のパラメータ値、決定された前記現在のパラメータ値、及び、事前に特定された前記パラメータ境界は、流体圧力、流体温度、管及び／又は管壁温度、流体流速、及び、管中の液体水位から選択される、
請求項１から３のいずれか１項に記載の方法。
【請求項５】
前記パラメータ境界は、予め定められた定数境界を含む、
請求項１から４のいずれか１項に記載の方法。
【請求項６】
前記パラメータ境界は、可変境界、又は、１又は２以上の前記パラメータ値から導出される数学的制約を含む、
請求項１から５のいずれか１項に記載の方法。
【請求項７】
少なくとも１つの予め定められたリスクは、パラメータ境界の外の所与のパラメータと関連付けられる、
請求項１から６のいずれか１項に記載の方法。
【請求項８】
前記予め定められたリスクは、管破壊リスク、管閉塞リスク、及び爆発リスクを含む、
請求項７に記載の方法。
【請求項９】
前記予め定められた動作は、
ネットワークオペレータに通知を発行すること、及び、自動化されたネットワークコントロールシステムに命令を発行することの１以上から選択される、
請求項１から８のいずれか１項に記載の方法。
【請求項１０】
前記通知は、１又は２以上の境界に侵入する前記現在のパラメータ値に関連するリスクの識別を含む、
請求項９に記載の方法。
【請求項１１】
測定されたパラメータ値が受信される前記現在のアクティブなネットワークの既知の地点に対して、前記現在のパラメータ値が決定される、
請求項１から１０のいずれか１項に記載の方法。
【請求項１２】
既知の地点に対して測定された前記現在のパラメータ値は、前記流体処理ネットワークのモデルに一致する態様で同一地点に対して決定された対応する前記現在のパラメータ値に置き換えられる、
請求項１１に記載の方法。
【請求項１３】
前記現在のアクティブなネットワークモデルは、前記ネットワークの受信された設定値に基づく、前記ネットワークの設定値を含む、
請求項１から１２のいずれか１項に記載の方法。
【請求項１４】
前記ネットワークの前記設定値は、前記ネットワークのバルブ設定値を含む、
請求項１３に記載の方法。
【請求項１５】
１又は２以上の前記事前に特定された境界は、前記ネットワークの１又は２以上の事前に特定された各地点に適用する、
請求項１から１４のいずれか１項に記載の方法。
【請求項１６】
前記ネットワークはフレアネットワークである、請求項１から１５のいずれか１項に記載の方法。
【請求項１７】
コンピュータで実行されたときに当該コンピュータに請求項１から１６のいずれか１項の方法を実行させる、
コンピュータープログラムコード。
【請求項１８】
コンピュータで実行されたときに請求項１から１６のいずれか１項の方法を当該コンピュータに実行させるコンピュータ可読コードを担持する、
キャリアメディア。
【請求項１９】
請求項１８に記載のコンピュータ可読コードを備える、
コンピュータプログラム製品。
【請求項２０】
機械可読記憶媒体と、
プログラム可能システムに実行されたときにシステムに請求項１から１６のいずれか１項の方法を実行させる、機械可読格納媒体に具現化される実行可能プログラム命令と、
を備える製品。
【請求項２１】
複数の流体処理部から形成される流体処理ネットワークをモニタリングする方法であって、各流体処理部が１又は２以上の予め定められたコンポーネントモデルに関連付けられる方法であって、
前記ネットワークの既知の地点で測定された現在のパラメータ値を受信する段階と、
前記予め定められたコンポーネントモデルの選択から前記流体処理ネットワークのモデルを生成する段階と、
少なくとも前記既知の地点から離れた地点において前記ネットワークの現在のパラメータ値を決定し、前記離れた地点の前記パラメータ値を、測定された前記現在のパラメータ値及び前記ネットワークモデルを使用して決定する段階と、
前記現在のパラメータ値が１又は２以上の予め定められた境界を侵入するかを決定する段階と、
１以上の前記境界が侵入されたと決定する場合、予め定められた動作を実行する段階とを備え、
前記ネットワークの１又は２以上の前記流体処理部はそれぞれが、予め定められた２又は３以上のコンポーネントモデルと関連付けられ、
前記予め定められた２又は３以上のコンポーネントモデルと関連付けられる各コンポーネントに対して、前記流体処理ネットワークの少なくとも１つのコンディションに依存する前記流体処理ネットワークのモデルを生成するのに用いるために、前記予め定められた２又は３以上のコンポーネントモデルの一つが選択される、
方法。
【請求項２２】
前記流体処理ネットワークの前記モデルを生成するのに用いられた特定のコンポーネントについての前記コンポーネントモデルを決定する前記流体処理ネットワークの前記少なくとも１つのコンディションは、
１又は２以上の前記ネットワークの現在のパラメータ値、１又は２以上の前記ネットワークの予期される将来パラメータ値、及び、前記流体処理ネットワーク中の１又は２以上の化学種の存在、
の１つ以上を含む、請求項２１に記載の方法。
【請求項２３】
前記ネットワークの１又は２以上のコンポーネントが、前記流体処理ネットワークの全コンディションに対してモデルを生成するのに用いられる、少なくとも１つのコンポーネントモデルと関連付けられる、請求項２１又は２２に記載の方法。
【請求項２４】
前記モデルを生成するのに用いられるコンポーネントモデルの選択の変化を引き起こす前記流体処理ネットワークのコンディションの変化に応答して、前記モデルが修正される、
請求項２１から２３のいずれか１項に記載の方法。
【請求項２５】
測定された前記現在のパラメータ値、決定された前記現在のパラメータ値、及び、予め定められた前記パラメータ境界が、流体圧力、流体温度、管及び／又は管壁温度、流体流速、及び／又は、管の液体の水位から選択される、
請求項２１から２４のいずれか１項に記載の方法。
【請求項２６】
前記パラメータ境界は、予め定められた定数境界を有する請求項２１から２５のいずれか１項に記載の方法。
【請求項２７】
前記パラメータ境界は、可変境界又は１以上の前記パラメータの値から導出される数学的制約を含む、
請求項２１から２６のいずれか１項に記載の方法。
【請求項２８】
１以上の前記予め定められた境界は、前記ネットワークの事前に特定された１又は２以上の個別の地点に適用する、
請求項２１から２７のいずれか１項に記載の方法。
【請求項２９】
少なくとも１つの予め定められたリスクが、パラメータ境界に侵入する所与のパラメータに関連付けられる、
請求項２１から２８のいずれか１項に記載の方法。
【請求項３０】
前記予め定められたリスクは、管破壊リスク、管閉塞リスク、及び、爆発リスクを含む、
請求項２９に記載の方法。
【請求項３１】
前記予め定められた動作は、ネットワークオペレータに通知を発行すること、及び、自動化されたネットワークコントロールシステムに命令を発行することの１以上から選択される、
請求項２１から３０のいずれか１項に記載の方法。
【請求項３２】
前記通知は、１以上の境界に侵入する前記現在のパラメータ値に関連するリスクの識別を含む、請求項３１に記載の方法。
【請求項３３】
前記現在のパラメータ値は、測定されたパラメータ値が受信される前記ネットワークの既知の地点について、決定される、
請求項２１から３２のいずれか１項に記載の方法。
【請求項３４】
既知の地点について測定された現在のパラメータ値は、前記流体処理ネットワークの前記モデルと一致する態様で、同一地点に対して決定された対応する前記現在のパラメータ値と置き換えられる、
請求項３３に記載の方法。
【請求項３５】
前記ネットワークモデルは、前記ネットワークの設定の受信値に基づく前記ネットワークの設定値を含む、
請求項２１から３４のいずれか１項に記載の方法。
【請求項３６】
前記ネットワークの設定値は、前記ネットワークのバルブ設定値を含む、
請求項３５に記載の方法。
【請求項３７】
複数の前記流体処理部は、管セグメント、バルブ、及び流体チャンバを含む、
請求項２１から３６のいずれか１項に記載の方法。
【請求項３８】
前記ネットワークは、フレアネットワークである、請求項２１から３７のいずれか１項に記載の方法。
【請求項３９】
コンピュータで実行されたときに当該コンピュータに請求項２１から３８のいずれか１項の方法を実行させる、
コンピュータープログラムコード。
【請求項４０】
コンピュータで実行されたときに請求項２１から３８のいずれか１項の方法を当該コンピュータに実行させるコンピュータ可読コードを担持する、
キャリアメディア。
【請求項４１】
請求項４０に記載のコンピュータ可読コードを備える、
コンピュータプログラム製品。
【請求項４２】
機械可読記憶媒体と、
プログラム可能システムに実行されたときにシステムに請求項２１から３８のいずれか１項の方法を実行させる、機械可読格納媒体に具現化される実行可能プログラム命令と、
を備える製品。
【請求項４３】
流体処理ネットワークをモニタリングする方法であって、
前記ネットワークの既知の地点において測定された現在のパラメータ値を受信するステップと、
少なくとも前記既知の地点から離れた地点における現在のパラメータ値を決定するステップであって、前記離れた地点における前記パラメータ値を、測定される前記パラメータ値を前記ネットワークのモデルに適用することにより決定するステップと、
各々が前記ネットワークの１以上の地点に関連付けられた予め定められたリスクの群から、分析されるべき１以上のリスクを選択するステップと、
各選択されたリスクについて、前記ネットワークの関連する１又は２以上の地点のリスクが、その１又は２以上の地点におけるリスクについての予め定められた許容可能リスク限界を超えるかを決定するステップと、
リスクが前記予め定められた許容可能リスク限界を超える場合、予め定められた動作を実行するステップと、を備え、
前記リスクに関連づけられる前記１又は２以上の地点の現在のパラメータが、予め定められたリスク選択要求を満たす場合、リスクが分析のために選択される、
方法。
【請求項４４】
前記予め定められたリスクの１以上の群が、解析のために選択されない請求項４３に記載の方法。
【請求項４５】
予め定められたリスクの各々は、侵入されるべきでない少なくとも１つのパラメータ境界を定義する請求項４３又は４４に記載の方法。
【請求項４６】
測定された前記現在のパラメータ値、前記境界及び決定された前記現在のパラメータ値及び予め定められた前記パラメータ境界が、流体圧力、流体温度、管及び／又は管壁温度、流体流速、及び、管中の液体水位から選択される、
請求項４３から４５のいずれか１項に記載の方法。
【請求項４７】
前記パラメータ境界は、可変境界又は１以上の前記パラメータ値から導出される数学的制約を含む、
請求項４３から４６のいずれか１項に記載の方法。
【請求項４８】
前記予め定められた動作は、ネットワークオペレータへの通知を発行すること、及び、自動化されたネットワークコントロールシステムへの命令を発行すること、の１以上から選択される、
請求項４３から４７のいずれか１項に記載の方法。
【請求項４９】
前記通知は、超えられたリスク限界の識別を含む、請求項４８に記載の方法。
【請求項５０】
前記予め定められたリスクは、管破壊リスク、管閉塞リスク、及び爆発リスクを含む、請求項４３から４９のいずれか１項に記載の方法。
【請求項５１】
前記現在のパラメータ値は、測定された前記パラメータ値が受信される現在アクティブな前記ネットワークの既知の地点について決定される、
請求項４３から５０のいずれか１項に記載の方法。
【請求項５２】
既知の地点についての測定された前記現在のパラメータ値は、前記流体処理ネットワークの前記モデルと一致する態様で、同一の地点に対して決定された対応する前記現在のパラメータ値と置き換えられる、請求項５１に記載の方法。
【請求項５３】
前記現在ネットワークモデルは、前記ネットワークの設定の受信値に基づいた前記ネットワークの設定値を含む、
請求項４３から５２のいずれか１項に記載の方法。
【請求項５４】
前記ネットワークの前記設定値は、前記ネットワークのバルブの設定値を含む、請求項５３に記載の方法。
【請求項５５】
前記ネットワークはフレアネットワークである請求項４３から５４のいずれか１項に記載の方法。
【請求項５６】
コンピュータで実行されたときに当該コンピュータに請求項４３から５５のいずれか１項の方法を実行させる、
コンピュータープログラムコード。
【請求項５７】
コンピュータで実行されたときに請求項４３から５５のいずれか１項の方法を当該コンピュータに実行させるコンピュータ可読コードを担持する、
キャリアメディア。
【請求項５８】
請求項５７に記載のコンピュータ可読コードを備える、
コンピュータプログラム製品。
【請求項５９】
機械可読記憶媒体と、
プログラム可能システムに実行されたときにシステムに請求項４３から５５のいずれか１項の方法を実行させる、機械可読格納媒体に具現化される実行可能プログラム命令と、
を備える製品。
【請求項６０】
流体処理ネットワークをモニタリングする方法であって、
前記ネットワークの既知の地点において測定された現在のパラメータ値を受信するステップと、
前記ネットワークの設定値を受信するステップと、
少なくとも前記既知の地点から離れた地点における現在のパラメータ値を決定するステップであって、前記離れた地点における前記パラメータ値を、測定される前記パラメータ値を前記ネットワークのモデルに適用することにより決定するステップと、
前記ネットワークの前記設定に対して予め定められた変更がなされる場合、又は、前記ネットワークの前記設定に変更がされない場合における、将来の時点のパラメータ値を予測するステップと、
前記予め定められた変更がなされること又は変更がされないことにより、１又は２以上の前記予測されたパラメータ値を、予め定められたパラメータ境界に侵入させる効果を生じさせることが決定される場合に、予め定められた動作を実行するステップと、
を備える方法。
【請求項６１】
前記ネットワークの設定値は、前記ネットワークバルブ設定値を有する、請求項６０に記載の方法。
【請求項６２】
測定された前記現在のパラメータ値、決定された前記現在のパラメータ値及び予め定められた前記パラメータ境界は、流体圧力、流体温度、管及び／又は管壁温度、流体流速、及び管中の液体水位から選択される、
請求項６０又は６１に記載の方法。
【請求項６３】
前記パラメータ境界は、予め定められた定数境界を有する、
請求項６０から６２のいずれか１項に記載の方法。
【請求項６４】
前記パラメータ境界は、可変境界又は１以上の前記パラメータの値から導出される数学的制約を含む、
請求項６０から６３のいずれか１項に記載の方法。
【請求項６５】
少なくとも１つの予め定められたリスクが、パラメータ境界の外の所与のパラメータと関連付けられる、請求項６０から６４のいずれか１項に記載の方法。
【請求項６６】
前記予め定められたリスクは、管破壊リスク、管閉塞リスク、及び、爆発リスクを含む、請求項６５に記載の方法。
【請求項６７】
前記予め定められた動作は、ネットワークオペレータへの通知を発行すること、及び、自動化されたネットワークコントロールシステムへの命令を発行すること、の１以上から選択される、請求項６０から６６のいずれか１項に記載の方法。
【請求項６８】
前記通知は、１以上の境界に侵入する前記現在のパラメータ値と関連するリスクの識別を含む、請求項６７に記載の方法。
【請求項６９】
前記現在のパラメータ値は、測定されたパラメータ値が受信される現在の前記ネットワークの既知の地点について決定される、請求項６０から６８のいずれか１項に記載の方法。
【請求項７０】
既知の地点について測定された現在のパラメータ値は、前記流体処理ネットワークの前記モデルと一致する態様で同一の地点について決定された対応する前記現在のパラメータ値と置き換えられる、請求項６９に記載の方法。
【請求項７１】
現在アクティブな前記ネットワークのモデルは、ネットワークの設定の受信値に基づくネットワークの設定値を含む、請求項６０から７０のいずれか１項Ｉに記載の方法。
【請求項７２】
前記ネットワークの前記設定値は、前記ネットワークのバルブ設定値を含む、請求項６０から７１のいずれか１項に記載の方法。
【請求項７３】
１又は２以上の前記事前に特定された境界は、前記ネットワークの事前に特定された１以上の地点の各々に適用する、
請求項６０から７２のいずれか１項に記載の方法。
【請求項７４】
前記ネットワークはフレアネットワークである、請求項６０から７３のいずれか１項に記載の方法。
【請求項７５】
コンピュータで実行されたときに当該コンピュータに請求項６０から７４のいずれか１項の方法を実行させる、
コンピュータープログラムコード。
【請求項７６】
コンピュータで実行されたときに請求項６０から７４のいずれか１項の方法を当該コンピュータに実行させるコンピュータ可読コードを担持する、
キャリアメディア。
【請求項７７】
請求項７６に記載のコンピュータ可読コードを備える、
コンピュータプログラム製品。
【請求項７８】
機械可読記憶媒体と、
プログラム可能システムに実行されたときにシステムに請求項６０から７４のいずれか１項の方法を実行させる、機械可読格納媒体に具現化される実行可能プログラム命令と、
を備える製品。
【請求項７９】
流体処理ネットワークの流体開放サブネットワークをモニタリングする方法であって、
前記サブネットワークの既知の地点で測定された現在のパラメータ値を受信する段階と、
少なくとも前記既知の地点から離れた地点で前記サブネットワークの現在のパラメータ値を決めることであって、前記離れた地点のパラメータ値を、測定された前記現在のパラメータ値及び現在のアクティブなネットワークモデルを用いて決定する段階と、
前記現在のパラメータ値に基づいて、１以上の事前に特定された境界が侵入されたかを決定する段階と、
１以上の前記境界が侵入された場合、予め定められた動作を実行する段階と、
を備える方法。
【請求項８０】
流体開放サブネットワークはフレアネットワークである、請求項７９に記載の方法。
【請求項８１】
測定される前記現在のパラメータ値、決定された前記現在のパラメータ値、及び事前に特定された前記パラメータ境界は、流体圧力、流体温度、管及び／又は管壁温度、流体流速、及び、管中の液体水位から選択される、請求項７９又は８０に記載の方法。
【請求項８２】
前記パラメータ境界は、予め定められた定数境界を含む、請求項７９から８１のいずれか１項に記載の方法。
【請求項８３】
前記パラメータ境界は、可変境界、又は、１以上のパラメータ値を含むことから導出される数学的制約を有する、
請求項７９から８２のいずれか１項に記載の方法。
【請求項８４】
少なくとも１つの予め定められたリスクがパラメータ境界の外の所与のパラメータと関連付けられる、請求項７９から８３のいずれか１項に記載の方法。
【請求項８５】
前記予め定められたリスクは、管破壊リスク、管閉塞リスク、及び爆発リスクを含む、請求項８４に記載の方法。
【請求項８６】
前記予め定められた動作は、ネットワークオペレータに通知を発行すること、及び、自動化されたネットワークコントロールシステムに命令を発行すること、の１以上から選択される、
請求項７９から８５のいずれか１項に記載の方法。
【請求項８７】
前記通知は、１以上の境界に侵入する前記現在のパラメータ値に関連するリスクの識別を含む、
請求項８６に記載の方法。
【請求項８８】
現在のパラメータ値は、測定されたパラメータ値が受信される前記サブネットワークの既知の地点について決定される、
請求項７９から８７のいずれか１項に記載の方法。
【請求項８９】
既知の地点について測定された現在のパラメータ値は、前記流体処理ネットワークの前記モデルと一致する態様で同一の地点について決定された対応する前記現在のパラメータ値と置き換えられる、
請求項８８に記載の方法。
【請求項９０】
前記サブネットワークモデルは、前記サブネットワークの設定の受信値に基づく、前記ネットワークの設定値を含む、
請求項７９から８９のいずれか１項に記載の方法。
【請求項９１】
前記サブネットワークの前記設定値は、前記ネットワークのバルブ設定値を含む、請求項９０に記載の方法。
【請求項９２】
１又は２以上の前記予め定められた境界は、前記ネットワークの予め定められた１又は２以上の各地点に適用する、請求項７９から９１のいずれか１項に記載の方法。
【請求項９３】
コンピュータで実行されたときに当該コンピュータに請求項７９から９２のいずれか１項の方法を実行させる、
コンピュータープログラムコード。
【請求項９４】
コンピュータで実行されたときに請求項７９から９２のいずれか１項の方法を当該コンピュータに実行させるコンピュータ可読コードを担持する、
キャリアメディア。
【請求項９５】
請求項９４に記載のコンピュータ可読コードを備える、
コンピュータプログラム製品。
【請求項９６】
機械可読記憶媒体と、
プログラム可能システムに実行されたときにシステムに請求項７９から９２のいずれか１項の方法を実行させる、機械可読格納媒体に具現化される実行可能プログラム命令と、
を備える製品。
【発明の詳細な説明】
【技術分野】
【０００１】
本発明は、流体処理ネットワークのモニタリング及び／又は制御のためのシステムに関する。
【背景技術】
【０００２】
石油製造設備、石油精製所、又は化学プラントのような流体処理用のネットワークは、多数の構成部分から成り、これらは、限定されるものではないが、ネットワークのコンポーネントの中に、及び、ネットワークのコンポーネントを通過して流体が流れる多数のバルブ、管セグメント、及び流体チャンバを含む。そのような処理ネットワークには、安全機構が取り付けられ、例えば、ネットワーク又は流体処理ネットワークの一部における圧力を安全限界以下に維持することを目的とするフレアネットワークのような流体開放ネットワークがあげられる。
【０００３】
流体開放ネットワークは、流体処理ネットワークのサブネットワークであり、同様に、そのような流体を処理ネットワークから安全な場所に除去する（例えば、限定する意図はないが、待機中にベント又はフレアすることを含む）目的で、流体をネットワークのコンポーネントの中に及びネットワークのコンポーネントを通じて流す、多数の管セグメント、バルブ及び流体チャンバを含む多数の構成部分を限定することを意図せずに含む。
【０００４】
流体処理ネットワークにはセンサが取り付けられ、これは限定する意図はないが、流体圧力センサ、流体温度センサ、及び金属壁温度センサを含む。  しかし、これらのセンサは、センサが地点する特定地点における特性値のみを測定することができ、圧力及び／又は温度が不明な測定地点間の領域を残す。
【発明の概要】
【０００５】
本発明の第１形態は、複数の流体処理領域を有する流体処理ネットワークをモニタリングする方法であって、以下のステップを備える。  ネットワークの既知の地点で、測定された現在のパラメータ値を受信するステップ。  測定された現在のパラメータ値から、アクティブなネットワークの領域を決定し、全ての他の領域は非アクティブとするステップ。  流体処理ネットワークのモデルから、ネットワークの非アクティブ領域を除き、現在のアクティブなネットワークモデルを提供するステップ。  少なくとも既知の地点から離れた地点において、現在のアクティブなネットワークの現在のパラメータ値を決めるステップであって、前記離れた地点におけるパラメータ値は、測定された現在のパラメータ値及び現在のアクティブなネットワークモデルを用いて決定されるステップ。  現在のパラメータ値に基づいて、１又は２以上の事前に特定された境界が侵入された（ｂｒｅａｃｈｅｄ）かを決定するステップ。  １又は２以上の前記境界が侵入された場合に、予め定められた動作を実行するステップ。
【０００６】
任意的に、現在のアクティブなネットワークモデルは、測定された現在のパラメータ値の周期的に受信されるアップデート情報を用いて、周期的にアップデートされる。  任意的には、アクティブになった非アクティブ領域、又は、非アクティブになったアクティブ領域が、測定された現在のパラメータ値のアップデート情報から決定される。
【０００７】
任意的に、測定された現在のパラメータ値、決定された現在のパラメータ値、及び、事前に特定されたパラメータ境界は、流体圧力、流体温度、管及び／又は管壁温度、流体流速（ｆｌｕｉｄ  ｆｌｏｗｒａｔｅ）、及び、管中の液体水位から選択される。  任意的に、パラメータ境界は、予め定められた定数境界（ｃｏｎｓｔａｎｔ  ｂｏｕｎｄａｒｉｅｓ）を含む。  任意的に、パラメータ境界は、可変境界（ｖａｒｉａｂｌｅ  ｂｏｕｎｄａｒｉｅｓ）、又は、１又は２以上のパラメータ値から導出される数学的制約を含む。
【０００８】
任意的に、少なくとも１つの予め定められたリスクは、パラメータ境界の外の所与のパラメータと関連付けられる。  任意的に、予め定められたリスクは、管破壊リスク、管閉塞リスク、及び爆発リスクを含む。  任意的に、予め定められた動作は、ネットワークオペレータに通知を発行すること、及び、自動化されたネットワークコントロールシステムに命令を発行することの１以上から選択される。  任意的に、通知は、１又は２以上の境界に侵入する前記現在のパラメータ値に関連するリスクの識別を含む。  任意的に、現在のパラメータ値は、測定されるパラメータ値が受信される現在のアクティブなネットワークの既知の地点に対して決定される。
【０００９】
任意的に、既知の地点に対して測定される現在のパラメータ値は、流体処理ネットワークのモデルに一致する態様で同一地点に対して決定された対応する現在のパラメータ値に置き換えられる。  任意的に、現在のアクティブなネットワークモデルは、ネットワークの受信された設定値に基づく、ネットワークの設定値を含む。  任意的に、ネットワークの設定値は、ネットワークのバルブ設定値を含む。  任意的に、１又は２以上の事前に特定された境界は、ネットワークの１又は２以上の事前に特定された各地点に適用する。  任意的に、ネットワークはフレアネットワークである。
【００１０】
第２形態において、本発明は、コンピュータで実行されたときに当該コンピュータに第１形態の方法を実行させるコンピュータープログラムコードを提供する。
【００１１】
第３形態において、本発明は、コンピュータで実行されたときに第１形態の方法を当該コンピュータに実行させるコンピュータ可読コードを担持するキャリアメディアを提供する。
【００１２】
第４形態において、本発明は、第３形態のコンピュータ可読コードを備えるコンピュータプログラム製品を提供する。
【００１３】
第５形態において、本発明は、機械可読記憶媒体と、プログラム可能システムに実行されたときにシステムに第１形態の方法を実行させる機械可読格納媒体に具現化される実行可能プログラム命令とを備える製品を提供する。
【００１４】
第６形態において、本発明は、複数の流体処理部から形成される流体処理ネットワークをモニタリングする方法を提供する方法であって、各流体処理部は、１又は２以上の予め定められたコンポーネントモデルに関連付けられる方法を提供し、当該方法は、以下を備える。  ネットワークの既知の地点で測定された現在のパラメータ値を受信すること。  予め定められたコンポーネントモデルの選択から流体処理ネットワークのモデルを生成すること。  少なくとも既知の地点から離れた地点においてネットワークの現在のパラメータ値を決定し、前記離れた地点のパラメータ値を、測定された現在のパラメータ値及びネットワークモデルを使用して決定すること。  現在のパラメータ値が１又は２以上の予め定められた境界を侵入するかを決定すること。  １以上の前記境界が侵入されたと決定される場合、予め定められた動作を実行すること。  ここで、ネットワークの１つ又は２つ以上の流体処理部はそれぞれが、予め定められた２又は３以上のコンポーネントモデルと関連付けられる。  またここで、予め定められた２又は３以上のコンポーネントモデルと関連付けられる各コンポーネントに対して、流体処理ネットワークのコンディションに依存する流体処理ネットワークのモデルを生成するのに用いるために、前記予め定められた２又は３以上のコンポーネントモデルの一つが選択される。
【００１５】
任意的に、第６形態によると、流体処理ネットワークのモデルを生成するのに用いられた特定のコンポーネントについてのコンポーネントモデルを決定する流体処理ネットワークのコンディションは、１又は２以上のネットワークの現在のパラメータ値、１又は２以上のネットワークの予期される将来パラメータ値、及び、流体処理ネットワーク中の１又は２以上の化学種の存在から選択される。
【００１６】
任意的に、第６形態によると、ネットワークの１又は２以上のコンポーネントが、流体処理ネットワークの全コンディションに対してモデルを生成するのに用いられる、少なくとも１つのコンポーネントモデルと関連付けられる。
【００１７】
任意的に、第６形態によると、モデルを生成するのに用いられるコンポーネントモデルの選択の変化を引き起こす流体処理ネットワークのコンディションの変化に応答して、モデルが修正される。
【００１８】
任意的に、第６形態によると、測定された現在のパラメータ値、決定された現在のパラメータ値、及び、予め定められたパラメータ境界が、流体圧力、流体温度、管及び／又は管壁温度、流体流速、及び／又は、管の液体の水位から選択される。
【００１９】
任意的に、第６形態によると、パラメータ境界は、予め定められた定数境界を含む。
【００２０】
任意的に、第６形態によると、パラメータ境界は、可変境界、又は、１以上のパラメータ値から導出される数学的制約を含む。
【００２１】
任意的に、第６形態によると、１以上の予め定められた境界は、ネットワークの事前に特定された１又は２以上の個別の地点に適用する。
【００２２】
任意的に、第６形態によると、少なくとも１つの予め定められたリスクが、パラメータ境界に侵入する所与のパラメータに関連付けられる。
【００２３】
任意的に、第６形態によると、予め定められたリスクは、管破壊リスク、管閉塞リスク、及び、爆発リスクを含む。
【００２４】
任意的に、第６形態によると、予め定められた動作は、ネットワークオペレータに通知を発行すること、及び、自動化されたネットワークコントロールシステムに命令を発行することの１以上から選択される。
【００２５】
任意的に、第６形態によると、通知は、１以上の境界に侵入する前記現在のパラメータ値に関連するリスクの識別を含む。
【００２６】
任意的に、第６形態によると、現在のパラメータ値は、測定されたパラメータ値が受信されるネットワークの既知の地点について、決定される。
【００２７】
任意的に、第６形態によると、既知の地点について測定された現在のパラメータ値は、流体処理ネットワークのモデルと一致する態様で、同一地点に対して決定された対応する現在のパラメータ値と置き換えられる。
【００２８】
任意的に、第６形態によると、ネットワークモデルは、ネットワークの設定の受信値に基づくネットワークの設定値を含む。
【００２９】
任意的に、第６形態によると、ネットワークの設定値は、ネットワークのバルブ設定値を含む。
【００３０】
任意的に、第６形態によると、複数の流体処理部は、管セグメント、バルブ及び流体チャンバを含む。
【００３１】
任意的に、第６形態によると、ネットワークは、フレアネットワークである。
【００３２】
第７形態において、本発明は、コンピュータで実行されると、当該コンピュータに第６形態に係る方法を実行させるコンピュータープログラムコードを提供する。
【００３３】
第８形態によると、本発明は、コンピュータで実行されると当該コンピュータに第７形態に係る方法を実行させるコンピュータ可読コードを担持するキャリアメディアを提供する。
【００３４】
第９形態によると、本発明は、第８形態に係るコンピュータ可読コードを有するコンピュータプログラム製品を提供する。
【００３５】
第１０形態によると、本発明は、機械可読記憶媒体、及び、プログラム可能システムに実行されると、当該システムに第６形態に係る方法を実行させる機械可読格納媒体に具現化される実行可能プログラム命令を備える製品を提供する。
【００３６】
第１１形態において、本発明は、以下のステップを備える、流体処理ネットワークをモニタリングする方法を提供する。  ネットワークの既知の地点で測定された現在のパラメータ値を受信するステップ。  少なくとも既知の地点から離れた地点の現在のパラメータ値を決めるステップであって、前記離れた地点のパラメータ値は、測定されるパラメータ値のネットワークモデルへの適用により決定されるステップ。  各々がネットワークの１以上の地点に関連付けられた予め定められたリスクの群から、分析されるべき１以上のリスクを選択するステップ。  各選択されたリスクについて、ネットワークの関連する１又は２以上の地点のリスクが、その１又は２以上の地点におけるリスクについての予め定められた許容可能リスク限界を超えるかを決定するステップ。  リスクが予め定められた許容可能リスク限界を超える場合、予め定められた動作を実行するステップ。  ここで、リスクに関連づけられる１又は２以上の地点における現在のパラメータが、予め定められたリスク選択要求を満たす場合、リスクが分析のために選択される。
【００３７】
任意的に、第１１形態によると、予め定められたリスクの１以上の群が、解析のために選択されない。
【００３８】
任意的に、第１１形態によると、予め定められた各リスクは、侵入される（ｂｒｅａｃｈｅｄ）べきでない少なくとも１つのパラメータ境界を定義する
【００３９】
任意的に、第１１形態によると、測定された現在のパラメータ値、境界及び決定された現在のパラメータ値及び予め定められたパラメータ境界が、流体圧力、流体温度、管及び／又は管壁温度、流体流速、及び、管中の液体水位から選択される。
【００４０】
任意的に、第１１形態によると、パラメータ境界は、可変境界又は１以上のパラメータ値から導出される数学的制約を含む。
【００４１】
任意的に、第１１形態によると、予め定められた動作は、ネットワークオペレータへの通知を発行すること、及び、自動化されたネットワークコントロールシステムへの命令を発行することの１以上から選択される。
【００４２】
任意的に、第１１形態によると、通知は、超えられたリスク限界の識別を含む。
【００４３】
任意的に、第１１形態によると、予め定められたリスクは、管破壊リスク、管閉塞リスク、及び爆発リスクを含む。
【００４４】
任意的に、第１１形態によると、現在のパラメータ値は、測定されたパラメータ値が受信される現在のアクティブなネットワークの既知の地点について決定される。
【００４５】
任意的に、第１１形態によると、既知の地点についての測定された現在のパラメータ値は、流体処理ネットワークのモデルと一致する態様で、同一の地点に対して決定された対応する現在のパラメータ値と置き換えられる。
【００４６】
任意的に、第１１形態によると、現在ネットワークモデルは、ネットワークの設定の受信値に基づいたネットワークの設定値を含む。
【００４７】
任意的に、第１１形態によると、ネットワークの設定値は、ネットワークのバルブの設定値を含む。
【００４８】
任意的に、第１１形態によると、ネットワークはフレアネットワークである。
【００４９】
第１２形態において、本発明は、コンピュータで実行されると当該コンピュータに第１１形態による方法を実行させるコンピュータープログラムコードを提供する。
【００５０】
第１３形態において、本発明は、コンピュータで実行されると当該コンピュータに第１１形態による方法を実行させるコンピュータ可読コードを担持するキャリアメディアを提供する。
【００５１】
第１４形態において、本発明は、第１３形態によるコンピュータ可読コードを含むコンピュータプログラム製品を提供する。
【００５２】
第１５形態において、本発明は、機械可読記憶媒体、及び、プログラム可能システムに実行されると、当該システムに第１１形態による方法を実行させる機械可読格納媒体に具現化される実行可能プログラム命令を備える製品を提供する。
【００５３】
第１６形態において、本発明は、流体処理ネットワークをモニタリングする方法であって、以下のステップを含む方法を提供する。  ネットワークの既知の地点において測定された現在のパラメータ値を受信するステップ。  ネットワークの設定値を受信するステップ。  少なくとも既知の地点から離れた地点における現在のパラメータ値を決定するステップであって、前記離れた地点におけるパラメータ値は、測定されるパラメータ値をネットワークのモデルに適用することにより決定されるステップ。
【００５４】
ネットワークの設定に対して予め定められた変更がなされる場合、又は、ネットワークの設定に変更がされない場合における、将来の時点のパラメータ値を予測するステップ。
【００５５】
予め定められた変更がなされること又は変更がされないことにより、１又は２以上の予測されたパラメータ値を、予め定められたパラメータ境界に侵入させる効果を生じさせることが決定される場合に、予め定められた動作を実行するステップ。
【００５６】
任意的に、第１６形態によると、ネットワークの設定値は、ネットワークバルブ設定値を有する。
【００５７】
任意的に、第１６形態によると、測定された現在のパラメータ値、決定された現在のパラメータ値及び予め定められたパラメータ境界は、流体圧力、流体温度、管及び／又は管壁温度、流体流速、及び管中の液体水位から選択される。
【００５８】
任意的に、第１６形態によると、パラメータ境界は、予め定められた定数境界を有する。
【００５９】
任意的に、第１６形態によると、パラメータ境界は、可変境界又は１以上のパラメータの値から導出される数学的制約を含む。
【００６０】
任意的に、第１６形態によると、少なくとも１つの予め定められたリスクが、パラメータ境界の外の所与のパラメータと関連付けられる。
【００６１】
任意的に、第１６形態によると、予め定められたリスクは、管破壊リスク、管閉塞リスク、及び、爆発リスクを含む。
【００６２】
任意的に、第１６形態によると、予め定められた動作は、ネットワークオペレータへの通知を発行すること、及び、自動化されたネットワークコントロールシステムへの命令を発行すること、の１以上から選択される。
【００６３】
任意的に、第１６形態によると、通知は、１以上の境界に侵入する前記現在のパラメータ値と関連するリスクの識別を含む。
【００６４】
任意的に、第１６形態によると、現在のパラメータ値は、測定されたパラメータ値が受信される現在ネットワークの既知の地点について決定される。
【００６５】
任意的に、第１６形態によると、既知の地点について測定された現在のパラメータ値は、流体処理ネットワークのモデルと一致する態様で同一の地点について決定された対応する現在のパラメータ値と置き換えられる。
【００６６】
任意的に、第１６形態によると、現在のアクティブなネットワークモデルは、ネットワークの設定の受信値に基づくネットワークの設定値を含む。
【００６７】
任意的に、第１６形態によると、ネットワークの設定値は、ネットワークのバルブ設定値を含む。
【００６８】
任意的に、第１６形態によると、１又は２以上の事前に特定された境界は、ネットワークの事前に特定された１以上の地点の各々に適用する。
【００６９】
任意的に、第１６形態によると、ネットワークはフレアネットワークである。
【００７０】
第１７形態において、本発明は、コンピュータで実行されると、当該コンピュータに第１６形態による方法を実行するコンピュータープログラムコードを提供する。
【００７１】
第１８形態において、本発明は、コンピュータで実行されると当該コンピュータに第１６形態による方法を実行させるコンピュータ可読コードを提供する。
【００７２】
第１９形態において、本発明は、第１８形態によるコンピュータ可読コードを含むコンピュータプログラム製品を提供する。
【００７３】
第２０形態において、本発明は、機械可読記憶媒体、及び、プログラム可能システムに実行されると、当該システムに第１６形態による方法を実行させる当該機械可読格納媒体に具現化される実行可能プログラム命令を有する製品を提供する。
【００７４】
第２１形態において、本発明は、以下のことを含む流体処理ネットワークの流体開放サブネットワークをモニタリングする方法を提供する。  サブネットワークの既知の地点で測定された現在のパラメータ値を受信すること。  少なくとも既知の地点から離れた地点でサブネットワークの現在のパラメータ値を決めることであって、前記離れた地点のパラメータ値は、測定された現在のパラメータ値及び現在のアクティブなネットワークモデルを用いて決定されること。  現在のパラメータ値に基づいて、１以上の事前に特定された境界が侵入されたかを決定すること。  １以上の前記境界が侵入された場合、予め定められた動作を実行すること。
【００７５】
任意的に、第２１形態によると、流体開放サブネットワークはフレアネットワークである。
【００７６】
任意的に、第２１形態によると、測定される現在のパラメータ値、決定された現在のパラメータ値、及び事前に特定されたパラメータ境界は、流体圧力、流体温度、管及び／又は管壁温度、流体流速、及び、管中の液体水位から選択される。
【００７７】
任意的に、第２１形態によると、パラメータ境界は、予め定められた定数境界を含む。
【００７８】
任意的に、第２１形態によると、パラメータ境界は、可変境界、又は、１以上のパラメータ値を含むことから導出される数学的制約を有する。
【００７９】
任意的に、第２１形態によると、少なくとも１つの予め定められたリスクがパラメータ境界の外の所与のパラメータと関連付けられる。
【００８０】
任意的に、第２１形態によると、予め定められたリスクは、管破壊リスク、管閉塞リスク、及び爆発リスクを含む。
【００８１】
任意的に、第２１形態によると、予め定められた動作は、ネットワークオペレータに通知を発行すること、及び、自動化されたネットワークコントロールシステムに命令を発行することの１以上から選択される。
【００８２】
任意的に、第２１形態によると、通知は、１以上の境界に侵入する前記現在のパラメータ値に関連するリスクの識別を含む。
【００８３】
任意的に、第２１形態によると、現在のパラメータ値は、測定されたパラメータ値が受信されるサブネットワークの既知の地点について決定される。
【００８４】
任意的に、第２１形態によると、既知の地点について測定された現在のパラメータ値は、流体処理ネットワークのモデルと一致する態様で同一の地点について決定された対応する現在のパラメータ値と置き換えられる。
【００８５】
任意的に、第２１形態によると、サブネットワークモデルは、サブネットワークの設定の受信値に基づく、ネットワークの設定値を含む。
【００８６】
任意的に、第２１形態によると、サブネットワークの設定値は、ネットワークのバルブ設定値を含む。
【００８７】
任意的に、第２１形態によると、１又は２以上の予め定められた境界は、ネットワークの予め定められた１又は２以上の各地点に適用する。
【００８８】
第２２形態において、本発明は、コンピュータで実行されると当該コンピュータに第２１形態の方法を実行させるコンピュータープログラムコードを提供する。
【００８９】
第２３の形態において、本発明は、コンピュータで実行されると当該コンピュータに第２１形態による方法を実行させるコンピュータ可読コードを担持するキャリアメディアを提供する。
【００９０】
第２４形態において、本発明は、第２３形態によるコンピュータ可読コードを含むコンピュータプログラム製品を提供する。
【００９１】
第２５形態において、本発明は、機械可読記憶媒体、及び、プログラム可能システムに実行されると、当該システムに第２１形態による方法を実行させる当該機械可読格納媒体に具現化される実行可能プログラム命令を有する製品を提供する。
【００９２】
特に、本発明の実施形態は、流体ネットワーク及び他のシステム又は設備のオンラインモニタリングのための方法及び装置に関連する。この文脈において、「オンライン」とは、流体ネットワークをモデリングするモニタリングシステムが、リアルタイムで測定値及びデータを取得でき、ネットワーク、システム又は設備を、リアルタイム又はリアルタイムよりも早くモデル化することができるように、動作中の流体ネットワーク、システム又は設備に接続することを意味する。
【図面の簡単な説明】
【００９３】
本発明は、図面への参照と共により詳細に説明されるであろう。
【００９４】
【図１Ａ】フレアネットワークを含む流体処理ネットワークの例を示す。
【図１Ｂ】フレアネットワークの例を示す。
【図２】ネットワーク（例えばフレアネットワーク）をモデリングするプロセスを示す。
【図３】本発明の実施形態を実装するための装置を示す。
【図４Ａ】本発明の実施形態による、境界が侵入されたか決定する第１プロセスを示す。
【図４Ｂ】本発明の実施形態による境界が侵入されたかを決定する第２プロセスを示す。
【図４Ｃ】本発明の実施形態による境界が侵入されたかを決定する第３プロセスを示す。
【図４Ｄ】本発明の実施形態による境界が侵入されたかを決定する第４プロセスを示す。
【図５】将来シナリオが境界の侵入を引き起こすかを決定するプロセスを示す。
【図６】本発明の実施形態によるシステムを示す。
【発明を実施するための形態】
【００９５】
図１Ａへの参照により、流体処理ネットワーク１００は、複数の領域１０１を含んでよい。各領域は、流体をチャンバ１０５に注入するための少なくとも１つの流体注入口（例えば、注入バルブ１０３）、及び、チャンバから流体を排出するための少なくとも１つの流体排出口（例えば、排出バルブ１０７）を備える。各領域には、流体が処理された後にネットワークから流体を排出する経路、例えば、バルブ１０９が設けられる。領域内の圧力が所定の安全レベルを違反した場合に領域１０１内の圧力を開放するために、各領域１０１は、流体の処理前、処理中又は処理後に、流体開放サブネットワークを通じて、ネットワークから流体を排出するための安全排出口、例えば、バルブ１１１に接続される。図１Ｂに示されるように、各領域１２０の排出経路は、配管と、流体を燃焼させための１又は２以上の余剰ガス燃焼煙突１１５へ続く、１又は２以上のヘッダ１１３とを有するフレアネットワーク１１０の領域１２０へと至ってよい。
【００９６】
（図示されない）センサ（例えば、流体圧力センサ）及び／又は流体温度センサは、流体開放サブネットワークを含む流体処理ネットワーク全体にわたって設置されてよい。
【００９７】
異なる領域１０１は異なる機能のために提供されてよく、異なる流体は異なる領域１０１に存在してよい。例えば、石油精製所ネットワークは、原油の複数の異なる留分を提供する分留領域を含み、各留分は、異なる領域、又は、各留分から生成される最終製品に応じた異なる処理のためのネットワークの領域に供給される。各留分の処理の例は、水素化、アルキル化及び接触分解を含むが、これに限定されない。石油プラットフォームは、油分及びガスの高圧力、中圧力、及び、低圧力分離のための領域を有してよい。
【００９８】
各領域中の流体は、液体状態、又は、ガス状状態、及び／又はは、液体及び気体の組み合わせであってよく、この状態は時間と共に変化し得る。
【００９９】
流体特性値が直接測定されないエリアで圧力が危険レベルに到達しないことを確実にする目的で、そのような特性値を求めるために流体処理ネットワークはモデル化され得る。
【０１００】
図２に示されるように、第１ステップ２０１において、フレアネットワークの各コンポーネント「構成ブロック（ｂｕｉｌｄｉｎｇｂｌｏｃｋ）」及び異なるコンポーネントの接続性を決定することにより、フレアネットワーク１１０のモデルが生成されてよい。例示的なコンポーネントは、管、管セグメント、バルブ、チャンバ及びフレアを含むが、これらに限定されない。説明（ｒｅｐｒｅｓｅｎｔａｔｉｏｎ）は、各コンポーネントを構成する材料、管セグメント直径、長さ及び壁厚ようなの管セグメント及びチャンバの１つ以上の寸法、および壁粗さのような特性を含む（がこれに限定されない）各コンポーネントの特性を含んでよい。
【０１０１】
モデルは、経時的に変化するネットワークの複数のパラメータ（例えば、圧力、温度）を含む数学的な関係の組であってよく、経時的なネットワークの挙動を記述する。モデルは、代数方程式、常微分方程式、常微分及び代数方程式、整数及び偏微分及び常微分方程式及び代数方程式のセットから生成されてよい。例示的なモデルは、商業的に入手可能なｇＰＲＯＭＳ（登録商標）ソフトウェア、又は、ＭＡＴＬＡＢ（登録商標）ソフトウェア、及び、同様のものにより実装されてよい。
【０１０２】
ネットワークの動作のための１以上のパラメータ又はパラメータの組み合わせのための安全範囲を定義し得る事前に特定された境界内、及び／又は、ネットワークの効率的な動作のための境界値内（例えば、ネットワークの全部又は一部の機能停止及び／又は原料及びエネルギーの過剰利用を回避させる境界値）に、モデルのパラメータ値がとどまる場合には、ネットワークは、安全で効率的な態様で動作することが想定される。安全基準、推奨される実務、構造材料特性の検討に基づく流体処理ネットワークの設計において、パラメータ境界が決定されてよい。
【０１０３】
境界を特定するための例示的なパラメータは、以下のものの１又は２以上を含むがこれに限定されない。（ｉ）流体圧力境界、（ｉｉ）流体流速境界、（ｉｉｉ）液体温度境界、（ｉｖ）管セグメント（ｐｉｐｅ  ｓｅｇｍｅｎｔ）、バルブ及び流体チャンバを含む（がこれに限定されない）任意の構成パーツのための金属壁温度境界。
【０１０４】
ネットワークの境界は、予め定められた定数境界（例えば、ネットワークのコンポーネントの特性と関連付けられた定数）を含んでよく、ネットワークの各コンポーネントは、それに関連付けられる予め定められた１以上の定数境界を有してよい。これらの予め定められた定数境界は、ステップ２０１で生成されるフレアネットワーク１１０のモデル中に組み込まれてよい。
【０１０５】
ネットワークの境界は、可変境界を含んでよい。可変境界は、ネットワークの機能及び／又は所与の時刻にネットワーク内に存在する材料に依存して、経時的に変化し得る。これらの可変境界は、ステップ２０１で生成されるモデルに組み込れないかもしれないが、用途（ａｐｐｌｉｃａｔｉｏｎ）及び所与の時刻のネットワークのコンディションに応じて、リアルタイムで生成されてよい。
【０１０６】
境界は、例えば、以下の観点から特定されてよい。（ａ）特定のパラメータ値の数値下限及び／又は数値上限：例えば、管セグメント内の流体の温度ＴＦは、管の脆性破壊のリスクを回避するために全時刻において特定の温度限界ＴＬよりも高く維持され、この場合、ＴＦはモデルパラメータである。所与の管の構造材料に対してＴＬが既知の定数（例えば、低温用とに最適な炭素鋼の特定のタイプに対して約‐４６℃）になる一方で、モデルパラメータの値は経時的に変化する。（ｂ）２以上のパラメータ値の関係：例えば、含水流体を搬送する管セグメント中で固体水和物又は固体氷の形成により生じる閉塞のリスクを回避するために、その内部の流体の温度ＴＦは、水和物形成温度ＴＨ及び氷形成温度ＴＩのそれぞれよりも常に高く維持されなければならない。
【０１０７】
従って、この場合の境界は、「ＴＦ＞ＴＨ」及び「ＴＦ＞ＴＩ」の形式の数学的不等制約の観点から規定される。これらの３つの温度ＴＦ、ＴＨ、及びＴＩの全てはパラメータであり、その値が、モデルの解により決定される流体組成及び圧力の性質の変化に依存して、経時的に変化する。
【０１０８】
各境界は、１以上のリスクに関連付けられてよい。例えば、安全境界の場合は、爆発又は破裂リスクは、ネットワーク内で境界流体圧力値に侵入する流体圧力に関連付けられてよく、破壊リスクは、最小管温度を下回ることができなかったネットワーク内の管温度に関連付けられてよい。
【０１０９】
境界に侵入されるとすぐに、又は、境界が予め定められた期間侵入され続けた場合に、リスクが存在すると決定されてよい。
【０１１０】
全ネットワークの説明（ｒｅｐｒｅｓｅｎｔａｔｉｏｎ）は、ステップ２０３において、複数の領域１０１（例えば、図１に示す領域１０１、又は、フレアネットワーク１１０のみがモデル化される場合には領域１２０）に分割されてよい。各領域は、異なる機能を有してよい。
【０１１１】
所与の境界は、ネットワーク全体（例えば、フレアネットワーク１１０全体）に適用可能な普遍的境界であってよく、又は、２以上の異なる領域（例えば、フレアネットワーク１１０の複数の領域１２０）ごとに異なってよい。  普遍的な境界値の例は、普遍的最大圧力、及び、普遍的最大マッハ数を含む。
【０１１２】
各領域（例えば、動作を処理する特定の流体に関連付けられた領域）は、異なるサブ領域のための異なる境界によって、複数のサブ領域に独立に分割されてよい。例えば、管（ｐｉｐｅ）は、複数のセグメントから構成される。複数のセグメントは、１以上の材料又は厚さにおいて異なり、これにより異なるサブ領域について異なる圧力及び／又は温度境界を生じさせる。境界は、ネットワークの単一のコンポーネント、又は、ネットワークのコンポーネントの組み合わせを含むサブ領域に適用する。
【０１１３】
図３を参照すると、現在状態推定部３０６は、ネットワーク及び境界値の説明を含む図２に示されるように生成されたモデルを格納するデータベース３０４からネットワークモデルを受信するように構成される。現在状態推定部３０６は、更に、ネットワーク中のセンサに生成された測定結果からデータ３０２を受信するように構成される。図４Ａ〜４Ｄにより詳細に記述されるように、データ３０２は、ネットワークモデル３０４に適用され、測定地点から離れた地点におけるネットワーク内の現在温度及び圧力のような、リアルタイムのネットワークのパラメータ値を決定する。現在状態推定部３０６は、同様に、測定地点からデータ３０２を分析して、例えば不正確な読み取りに起因する、これらのデータのいかなる不一致をも訂正し得る。第１ステップで、現在状態推定部３０６は、測定地点から受信したデータが、ネットワークモデル及び他の測定地点からの測定に基づいて、不正確かを決定し、測定値の代わりに用いられるその地点におけるより正確な値を決定してよい。（モデル中に埋め込まれた物理法則に従い）測定されるパラメータ値に相互矛盾が生じる場合、ネットワーク全体にわたるパラメータ値が相互矛盾のないように決定された対応する現在のパラメータ値により、これらは置き換えられてよい。従って、現在状態推定部３０６は、測定地点を含むネットワーク全体のパラメータの正確な値を決定してよい。
【０１１４】
本実施形態でここに記載される方法のステップは、コンピュータプロセッサ、又は、等価のデータ処理専用回路で実行されるコンピュータープログラムコード内のルーチンにより実装されてよい。以下での図６への参照により記述されるように、そのようなシステムは、複数プロセスを並列に実行することができるコンピュータアーキテクチャ中で実際に実装されてよい。
【０１１５】
図４Ａは、動作中のフレアネットワーク１１０の状態を決定するように構成されたデータ処理システムのためのプロセスを示す。使用時には、本発明の実施形態は、流体ネットワークのリアルタイムモニタリングを提供する。
【０１１６】
システムは、ステップ４０１において、現在ネットワークデータ３０２を受信するように構成される。データ３０２は、フレアネットワーク１１０中のセンサが生成する測定からのデータ（例えば、流体圧力センサ及び／又は流体温度センサからの圧力及び温度）と、直接測定されてよい流体流速データ、又は、確立されたエンジニアリング技術を用いて流速がそこから決定され得るネットワーク１１０の注入バルブ１１１が開かれている度合のデータであってよい流体流速データとの１以上を含んでよい。現在ネットワークデータ３０２は、測定されたパラメータのデータだけでなく、パラメータが測定されたネットワークの地点のデータを含んでよい。
【０１１７】
データ３０２は、データが得られたネットワークの地点において境界値が違反されたかを決定することを可能にするのみである。
【０１１８】
ステップ４０３において、システムは、受信された測定データをデータベース３０４に格納されたネットワークモデルと組み合わせるように構成される。これは、直接測定がなされる地点及びこれらの直接測定地点から離れた地点の両方における流体圧力値及び／又は流体温度値のようなパラメータを含む、現在ネットワーク状態を決定するために行われる。このことは、モデル中の数学的方程式の基本的な組に適用される状態推定問題の解決法を介し、（限定する意図はないが）カルマンフィルタ、粒子フィルタ及びその他を含む適切なアルゴリズムに基づいて達成される。状態推定問題及びその解決方法は、例えば、Ｓ．Ｓｉｍｏｎ、Ｏｐｔｉｍａｌ  Ｓｔａｔｅ  Ｅｓｔｉｍａｔｉｏｎ：Ｋａｌｍａｎ、Ｈｉｎｆ  ａｎｄ  Ｎｏｎｌｉｎｅａｒ  Ａｐｐｒｏａｃｈｅｓ、Ｗｉｌｅｙ  Ｉｎｔｅｒｓｃｉｅｎｃｅ，２００６により詳細に記述される。
【０１１９】
ステップ４０５で、ネットワークの現在のパラメータ値は、データベース３０４又は別のデータベース中に格納される境界に対してチェックされてよく、境界に侵入されたかが決定される。格納された境界は、別箇のリスクデータベース（図示せず）に格納されてよい。リスクデータベースは、モデルパラメータのアイデンティティ、又は、リスクに関連付けられるモデルパラメータの組み合わせ、及び、オペレータに発行される警告メッセージが必要か決定し、当該メッセージの重大性（例えば、「通知」、「警告」、「重大な警告」等）を決定する当該パラメータの下限値及び上限値を含んでよい。もし、境界に侵入された場合、ステップ４０７において、警告がシステムユーザに対して発行される。警告は、侵入された境界に関する警告、当該境界への侵入に関連するリスクを示すメッセージ、リスクの重大性、及び、救済アクションの推奨の１又は２以上を含んでよい。
【０１２０】
ネットワークが自動化される場合、又は、ネットワークの特定の安全システムが自動化される場合、システムは、命令を自動化されたネットワークコントロールシステムに送信し、関連する救済アクションを取るように構成されてよい。例えば、バルブは、圧力の危険な蓄積を開放するために自動的に開放されてよい。
【０１２１】
現在ネットワークデータ３０２は、周期的にアップデートされてよく、また、システムに決定された現在ネットワーク状態がネットワークのリアルタイム状態を表すように、ステップ４０３で決定された現在ネットワーク状態のパラメータ値は、アップデートされた現在ネットワークデータに基づき周期的にアップデートされてよい。
【０１２２】
図１を再び参照すると、フレアネットワーク１１０の１以上の領域１２０は、ネットワークの動作中は非アクティブであってよい。例えば、流体は、１以上の領域１２０中に又は１以上の領域１２０を通じて流れてよく、１以上の他の領域１２０には流体は流れなくてよい。
【０１２３】
データ処理システムは、ネットワークのアクティブ領域のみを分析し、モデルから非アクティブ領域を除外するように構成されてもよい。ここで用いられる「アクティブ領域」は、予め定められた最小流速と等しく又は最小流速以上で、又は、予め定められた期間内、流体が流れ入る又は流体が流れ通る領域を意味し、又は、他のパラメータ（例えば、金属壁温度）が当該領域を通じて材料が比較的最近流れた結果、経時的に変化しつづけている領域を意味する。ここで用いられる「非アクティブ領域」は、予め定められた最小流速と等しく又は最小流速以上で流体が流れ入らない又は通過しない、さらに少なくとも予め定められた期間の間、予め定められた最小流速と等しく又は最小流速以上で流体が流れ入らない又は通過しない領域を意味し、又は、他のパラメータが経時的に変化していない領域を意味する。最小流速は、０の流速であってよいが、必ずしも０でなくてよい。
【０１２４】
図４Ｂを参照すると、例えば、現在開放されているバルブ、又は、最近開放されてフレア煙突の終端処理をするバルブから出る全ての可能な流れ経路をトレースし、モデリングすることにより、ステップ４０９で現在ネットワークデータ３０２が分析され、データベース３０４に格納されるネットワークモデル全体の現在アクティブ領域を決定することを除き、システムは、図４Ａに示されるものと同様のステップを実行するように構成される。  現在アクティブなネットワークのモデルを提供するために、アクティブと考えられない領域はネットワーク全体から除外されてよく、ステップ４０３で決定された現在ネットワーク状態は、現在アクティブなネットワークのためだけに処理される。
【０１２５】
任意の所与の領域のアクティブ又は非アクティブ状態は、経時的に変化してよく、データ処理システムは、現在ネットワークデータ３０２を周期的に再分析して、アクティブから非アクティブに変更される領域又は非アクティブからアクティブに変更される領域があるかを決定するように構成される。
このように、ステップ４０９で決定される現在アクティブなネットワーク及びステップ４０３で生成される現在のアクティブなネットワークの現在ネットワーク状態は、ネットワークの現在状態を全時間で描写し続ける（ｒｅｍａｉｎ  ｒｅｐｒｅｓｅｎｔａｔｉｖｅ）ように、リアルタイムで周期的にアップデートされてよい。
【０１２６】
本発明の特定の実施形態は、ネットワークのアクティブ領域を自動的に追跡し再定義し、（例えば、それらの開状態及び閉状態の間のネットワークの所定のバルブを監視するコードルーチンを用いて）これらを計算に含めることができてよい。分析に含まれるべきアクティブ領域をアップデート及び／又は再定義するために、そのようなコードルーチンは、時折、又は、トリガに応答して実行されてよい。
【０１２７】
解析のためにアクティブ領域のみを含むモデルを生成することにより、より大きな計算機効率が達成され得、当該モデルは、流体の流速が０又は０に近いかもしれないことを表すパラメータ値の領域を含むモデルより、堅強（ｒｏｂｕｓｔ）になり得る。
【０１２８】
モニタリングされ、システムに潜在的に識別されるリスクの総数は、非常に大きくなり得る。例えば、管は、少なくとも時間Ｔ１にわたり第１最小境界管温度を下回り続けるときに脆弱になり得る（例えば、ジュール−トムソン効果に起因する）。従って、管温度に関連する第１リスクは、破壊リスクであり得る。測定又は決定される管温度が予め定められた最小管温度境界未満に低下する場合、又は、管温度が予め定められた最大時間以上にわたり予め定められた最小管温度境界を下回り続ける場合、予め定められた共用される管破壊リスクは、限界を超えるかもしれない。
【０１２９】
更に、管を通過する気体が水蒸気を含有する場合、氷及び／又は他の固体（例えば、水和物）が、最小境界値を下回る温度において管内部で形成され、最終的に管の障害物を生じ得る第２のリスクが生じ得る。水蒸気が管中の流れる場合、及び、測定又は決定される管温度が予め定められた最小管温度境界を下回った場合、又は、水蒸気が管を通過する間、予め定められた最大時間を超える期間にわたり、管温度が予め定められた最小管温度境界を下回り続ける場合、予め定められた許容可能な氷障害物のリスクは、限界を超えるかもしれない。
【０１３０】
図４Ｃを参照すると、ネットワークモデルを有するデータベース３０４は、全ての予め定められたリスク及び許容可能なリスクの限界を格納する。他の実施形態において、別箇のリスクデータベースは、全ての予め定められたリスク及び許容可能なリスクの限界を含んでよい。このデータベース中の各エントリは、１又は２以上の情報項目を含み、これらは、リスクに関連付けられたモデルパラメータのアイデンティティ、オペレータに警告するメッセージの発行が必要とされるかを判定するこのパラメータの下限値及び上限値、及び、メッセージの重大性（例えば、「通知」、「警告」、「重大な警告」等）を含むがこれに限定されない。データ処理システムは、１以上の許容可能リスクがステップ４１１及び４１３で限界を超えたかを判断する解析のために、予め定められた許容可能リスク限界の全て又はサブセットを選択するように構成されてよい。
【０１３１】
分析される各リスクは、ステップ４０３で決定された現在ネットワーク状態からのパラメータ値に基づいてよい選択要求に関連付けられてよい。例えば、再び管セグメント内に形成される氷のリスクの例に言及すると、特定の領域における測定又は決定された１又は複数の管の温度が予め定められた水準を超える場合、及び／又は、水蒸気が特定の領域の１又は複数の管中に存在しない場合には、システムは、その領域における１又は複数の管内の氷形成リスクを監視しないように構成されてよい。
【０１３２】
モデル内に組み込れる必要がある詳細の程度は、監視されるべきリスクに依存し得る。例えば、氷の潜在的な形成を予測可能な管セグメントのモデルは、管内の温度及び圧力のみを予測可能なモデルよりも複雑かもしれない。モデルデータベース３０４は、同一のコンポーネント（管セグメント（ｐｉｐｅ  ｓｅｇｍｅｎｔ）又は管（ｖｅｓｓｅｌｓ））からなる複数のモデルを含んでよく、そのようなモデルの各々は、異なる詳細の程度を有する。例えば、管セグメントを表すコンポーネントの場合において、モデルデータベースは、３個の区別可能なモデルを含んでよい。最も単純なモデルは、管内の流体流速及び管内の圧力降下の関係の説明のみを含んでよい。中間の複雑さを有するモデルは、管における壁と流体と間の熱伝導及び壁と周辺外気との間の熱伝導の説明と共に、管の長さに沿った管壁中の温度の変動の説明を追加的に含んでよい。最後に最も詳細なモデルは、超低温における管内の固体の潜在的な形成の説明を追加的に含んでよい。システムは、その後、ネットワーク全体のモデルの構築で分析されることが選択されたリスクと一致する、ネットワークの１個１個のコンポーネントについて、適切な詳細の程度のモデルを自動的に選択してよい。選択は、ネットワーク中のパラメータの現在の値を含む、事前に特定された論理条件の評価を介して、行われてよい。上記の管セグメントの例においては、管内の流体温度ＴＦが、管の構造材料の脆性破壊の温度ＴＢの事前に特定されたマージン内に降下した場合、システムは、最も単純なモデルから中間の複雑さを有するモデルにスイッチしてよい。ＴＦは現在状態推定部４０３により計算されるパラメータであり、その値は一般的に経時的に変化する。一方でＴＢは既知の定数である。更に、管内の流体温度ＴＦと潜在的な氷の温度ＴＩ又は水和物形成温度ＴＨのそれぞれとの相違が事前に特定されたマージンよりも小さい場合、システムは、最も詳細なモデルにスイッチするように構成されてよい。ここで、ＴＩ及びＴＨは、現在状態推定部４０３により計算される時間により変化するパラメータである。更に、各コンポーネントに対する適切なモデルの選択は、システムの動作全体にわたって要求される限り、周期的に変更されてよく、そのような変更は、ネットワークモデル全体のリアルタイムの再構成をトリガする。
【０１３３】
システムは、ステップ４０３で決定された現在ネットワーク状態に関係なく、特定のリスクをモニタするように構成される。例えば、システムは、ネットワークの効率のみに影響するかもしれないリスクに関連付けられたリスク限界とは異なり、安全性に重大な影響を及ぼすかもしれないリスク（例えば、爆発リスク）を常に監視するように構成されてよい。
【０１３４】
分析されるべきリスクを選択し、上記したようにモデルを再構成することによって、システムの効率性を低下させることなく、又は、僅かに減少させつつ、システムが必要とする処理時間及び／又は処理電力は減少され得る。
【０１３５】
図４Ｄは、図４Ｂ及び図４Ｃの組み合わせを示す。ここで、非アクティブ領域は、ステップ４０９で決定され、図４Ｂに示すようにネットワークモデルからは省略される。監視されるべきリスクのサブセットが図４Ｃに示されるように選択される。ネットワークモデルは、自動的に再構成されて、適切な詳細の程度のコンポーネントモデルを組み込む。ネットワークの領域が非アクティブと決定されると、これによってよりコンパクトなネットワークモデルが生じ、このことは、その後、より詳細なコンポーネントモデルを使用して監視対象として選択されるリスクを、非アクティブ領域の決定がされない場合よりも、多く許容することができる。
【０１３６】
図４Ａ〜Ｄを参照してデータ処理システムは、ネットワークの現在状態が事前に特定された１以上の境界に侵入したときに、反応するように構成される。データ処理システムは、更に、特定の仮定的なイベントが発生した場合に、未来のある時点でネットワークが１以上の境界に侵入しそうかを決定するように構成されてよい。
【０１３７】
図５は、図４Ａ〜４Ｄを上記参照して説明するように、ステップ４０３で決定されるネットワークの現在状態５０１から開始する、１つの将来シナリオをシステムが実行し得る態様を説明する。将来シナリオ５０２の定義は、シナリオが考慮されるべきコンディション、シナリオの対象とする計画期間（例えば、現在時間から開始する特定の分（ｍｉｎｕｔｅｓ）数）、及び、当該計画期間中のネットワークへの０以上の入力の変動（例えば、１以上の図１Ｂのバルブ１１１を通じて流入する流速）を含む情報項目を有するが、これに限定されない。例えば、将来シナリオは、現在閉じられている幾つかのバルブ１１１を開放する効果、及び／又は、現在開放されている幾つかのバルブを閉じる効果を決定してよく、現在開放されているバルブを通じて受け取る材料の流速又は他の特性（例えば、組成及び／又は温度）の変動の効果を決定してよい。そのような追加の入力の数は０であってよい。この場合、ネットワーク設定に変更がなされなければ、将来シナリオは、単純に、ネットワークのコンディションがその現在の状態から経時的にどう発展するかを決定するであろう。ステップ５０３において、システムは、将来シナリオが現在時間で評価されるべきかを決定する。将来シナリオの定義は、（１以上のシステムパラメータの現在値を含む論理条件に関して表現される）１以上の基準が当てはまるときはいつでも、及び／又は、それが事前に特定された、通常は規則正しい、時間間隔（例えば１０分おき）に実行されなければならないことを特定する。例えば、ネットワークの容量超過を潜在的に引き起こす仮定イベントに関連する将来シナリオは、システムがその容量近辺で（しかし、依然容量内で）現在動作している場合のみに考慮される必要があるかもしれない。
【０１３８】
ステップ５０３において、システムは、同様に、（例えば、認証された人間オペレータ又は他のコンピュータプログラムのような）外部エージェントに発行された明確な要求に続く将来シナリオの評価を実行してよい。そのような将来シナリオは、その実行前に、外部エージェントにより、全体的に再定義されるか、又は、部分的又は全体的に構成されてよい。この機能は、システムが、決定補助ツールとして機能するのを可能にし、例えば、ネットワークの将来の挙動の動作の提案される組の効果に関する応用知識を提供する。
【０１３９】
ステップ５０３で将来シナリオが評価されるべきものであると決定すると仮定すると、ステップ５０４で、ネットワークの現在の状態及び将来シナリオにより規定されるネットワークの追加入力が与えられたときに、考慮される必要があるアクティブ領域の組を決定する。モデルデータベース３０４を用いて、このステップ４０９で、図４Ｂ及び４Ｄでステップ４０９で記述されるように、これらのアクティブ領域を記述するネットワークモデルの適切なサブセットを同様に構築してよい。そうする間、更にネットワークの予測状態に対する適切な基準を適用することにより、システムは、図４Ｄのステップ４１１で記述されるネットワーク中の各コンポーネントのモデリングに適用されるべきモデリングの詳細の適切な度合を決定することもできる。
【０１４０】
ステップ５０４で構築されたモデルを用いることにより、将来シナリオ評価部は、ステップ５０５で動的シミュレーションを実行して、事前に特定された時間間隔で時間を進行させ、将来シナリオの定義で特定されたようにネットワークに対する経時変化する入力を考慮し、更に当該時間間隔の終わりでネットワークの状態を予測するように構成される。その後、ステップ５０６において、将来シナリオ評価部は、リスク５０７のデータベースに対するその予測状態を評価し、１以上の境界が侵入された場合には適切な警告メッセージを発行する。そのようなメッセージの各々は、幾つかの情報項目を有し、当該情報項目は、評価される将来シナリオの識別、侵入（ｂｒｅａｃｈ）が生じることが予測される（現在時刻に対する）将来の時刻、及び、当該侵入に含まれるパラメータ（複数でも可）のアイデンティティ及び値を含むがこれに限られない。
【０１４１】
最後にステップ５０８において、将来シナリオ評価部は、評価される将来シナリオについて対象となる計画期間の終了時点に到達したかをチェックする。もしその場合には、シナリオの実行は終了し、そうでない場合は、アルゴリズムはステップ５０４から繰り返される。
【０１４２】
システムは、並列又は連続して動作する１以上の個別の将来シナリオ評価部を利用して、評価のために１以上の将来シナリオを検討するように構成されてよい。そのような検討は、ネットワーク動作の間に規則正しい時間間隔で行われる。各将来シナリオの分析は、同一のプロセッサ上で並列又は連続で実行されてよい。又は、複数のプロセッサで分析が分担されてよい。任意的に、各将来シナリオは、専用の将来シナリオ評価部で実行される専用プロセッサを有する。
【０１４３】
図６は、ここに説明されるシステムの実施形態を示し、フレアネットワークの現在状態のモニタリング、及び、フレアネットワーク上の数ｎの将来シナリオの効果の評価の両方を説明する。
【０１４４】
システムは、システムに適用されている特定のフレアネットワークから独立した汎用コンピュータコードとして実装される計算要素３０６、６０１、６０２、６０３、６０４を備える。将来シナリオ評価部コンポーネントの別個のインスタンス化が、検討中の各将来シナリオについて実行される。各計算要素は、別個のコンピュータプログラムとして実装されてよい。異なるコンポーネントが、同一のコンピュータプロセッサで実行されてよく、又は、メッセージパッシングインターフェイス（ＭＰＩ）又はパラレル仮想マシン（ＰＶＭ）プロトコルのような、安定したプロセス間通信プロトコルを利用して互いに通信する異なるコンピュータプロセッサで実行されてよい。
【０１４５】
フレアネットワーク及びシステムの所望の挙動は、構成ファイル３０４、３１０及び６１０が適用されたときには、これらの単位で完全に定義される。別個の将来シナリオ定義ファイル６１０が、検討中の各将来シナリオに対して提供される。汎用計算要素及びネットワーク用構成ファイルの間の完全な分離は、システムの発展と維持に寄与する。
【０１４６】
システムの動作中に、リアルタイムデータが、ネットワーク中のセンサから受信される。それらのデータの一部は、ネットワークへの注入流速（Ｉｎｌｅｔ  Ｆｌｏｗｒａｔｅ）が直接既に測定されていない場合に、注入流速を決定するために、注入流速計算部６０２に利用される。計算された注入流速を含むデータは、その後、図４Ｄに示すアルゴリズムのコンピュータコード実装であるフレアネットワーク状態推定部３０６に渡される。発行された如何なる警告も、オペレータコンソール６０４に適切な形式で警告を通信する中央監視装置６０３に伝達される。
【０１４７】
フレアネットワーク状態推定部３０６は、同様にシステムの現在状態を複数の将来シナリオ評価部６０１に通信する。その各々は、事前に定義された異なる将来シナリオ６１０の実行に責任を有する。各将来シナリオ評価部６０１は、図５に示すアルゴリズムのコンピュータコード実装である。将来シナリオに対応した実行から生じるいかなる警告も中央監視装置６０３に送信される。その後、中央監視装置６０３は、適切な形式で警告をオペレータコンソール６０４に通信する。
【０１４８】
ここに説明されるシステムは、ネットワーク内の温度及び圧力のようなパラメータの正確な決定、変更がなされる場合又は変更がない場合の複数地点のパラメータの予測、及び、ネットワークの効率及び／又は安全に対するリスクの決定を可能にする。
【０１４９】
上記説明で示されるように、本発明の少なくとも一部の実装は、ここに示されるように、（例えば、１以上のサーバのプロセッサユニットの）プログラミングを含んでよい。プログラミングを含んで良い実装は、流体処理ネットワークのモデルの生成、ネットワークのモデルへの測定データの適用によるネットワークのパラメータの決定、決定されたパラメータが境界を超えるかの決定、システムの設定に変更が有る場合又は無い場合のパラメータに対する効果の予測、予測されたパラメータが境界を超えるかの判定、及び、決定又は予測されたパラメータが当該パラメータに対する境界を越えた場合に予め定められた動作（例えば警告の発行）を取ることを含むが、これに限定されない。
【０１５０】
本技術のプログラムの態様は、典型的には、機械可読媒体型で担持され又は具現化された実行可能コード及び／又は関連付けられたデータのフォームにおいて、「製品（ｐｒｏｄｕｃｔ）」又は「製造物品（ａｒｔｉｃｌｅ  ｏｆ  ｍａｎｕｆａｃｔｕｒｅ）」として考えられてよい。「記憶（Ｓｔｏｒａｇｅ）」型媒体は、ソフトウェアプログラムにいつでもストレージを提供し得る、様々な半導体メモリ、テープドライブ、ディスクドライブ等のようなエレクトロニクスシステム、計算装置、プロセッサ等、又はそれらに関連付けられたモジュールの任意又は全てのメモリを含んでよい。ソフトウェアの全部又は一部は、時々インターネット又はさまざまな他の遠隔通信ネットワークを通じて通信される。そのような通信は、例えば、１つのコンピュータ又はプロセッサから別のコンピュータ又はプロセッサへのソフトウェアのローディングを可能にしてよい。従って、ソフトウェアを有する媒体の別の種類は、有線及び光学的地上回線ネットワークを通じた、及び様々なエアリンク上のローカルデバイス間の物理的インタフェースの間で使用されるような、光学的、電気的、及び電磁的な波動を有する。有線又は無線リンク、又は光学リンク等のような、そのような波動を搬送する物理的要素は、ソフトウェアを有する媒体と考えられてよい。
【０１５１】
従って、機械可読媒体は、有形の不揮発性記憶媒体、搬送波媒体、又は、物理的送信媒体を含むがこれに限定されない様々な形式をとってよい。有形の不揮発性記憶媒体は、例えば、コンピュータ（複数可）等の中の記憶装置のいずれかのような、光学又は磁気ディスクを含む。有形の揮発性記憶媒体は、そのようなコンピュータプラットフォームのメインメモリのような、ダイナミックメモリを含む。有形の送信媒体は、コンピュータシステム内のバスを含む配線を含む、同軸ケーブル、銅線、光学ファイバを含む。搬送波送信媒体は、無線周波数（ＲＦ）及び赤外線（ＩＲ）データ通信で生成されるような、電気又は電磁気信号、若しくは、音響波又は光波の形式をとり得る。コンピュータ可読媒体のこれらの多数の形式は、１以上の命令の１以上のシーケンスを、プロセッサでの実行のために搬送することに含まれてよい。
【０１５２】
本発明は、主に、流体開放ネットワーク（例えば、流体処理ネットワークのフレアネットワーク）への参照と共にここに説明された。しかし、流体処理ネットワークのモデルを生成する目的、測定データをネットワークのモデルに適用することにより、流体処理ネットワークのパラメータを決定する目的、決定されたパラメータが境界を超えるか決定する目的、システムの限定に変更がなされた又はなされない場合のパラメータに与える効果を予測する目的、予測されたパラメータが境界を超えるか決定する目的、及び、決定又は予測されたパラメータが境界を超える場合に当該パラメータに対して警告を発行する等の予め定められた動作を取る目的で、本発明は、いかなる流体処理ネットワークに対して適用することができるが、これらの目的には限定されないことが理解されるだろう。そのような警告は、安全警告及び／又はアラームとして一般的な機械制御インターフェイスのために、例えば、人のオペレータに対するメッセージとして用いることができる。
【０１５３】
例えば、本発明は、特定の石油留分用の１以上の水素化、アルキル化、及び／又は、触媒クラッキング領域、更に、更なる個別の特定の石油留分用の水素化、アルキル化及び／又は触媒クラッキング領域を含むがこれらに限定されない流体処理ネットワークを備える石油精製設備に適用されてよい。
【０１５４】
本発明は、特定の例示的な実施形態を単位として説明されたが、以下に続く特許請求の範囲に記載された本発明の領域から離れることなく、ここに開示される特徴の様々な変形、代替、及び／又は組み合わせが当業者にとって明確であることが明らかであろう。
【図１Ａ】
2015507275.tif 000003
【図１Ｂ】
2015507275.tif 000004
【図２】
2015507275.tif 000005
【図３】
2015507275.tif 000006
【図４Ａ】
2015507275.tif 000007
【図４Ｂ】
2015507275.tif 000008
【図４Ｃ】
2015507275.tif 000009
【図４Ｄ】
2015507275.tif 000010
【図５】
2015507275.tif 000011
【図６】
2015507275.tif 000012
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
複数の流体処理領域を備える流体処理ネットワークをモニタリングする方法であって、
前記ネットワークの既知の地点で、測定された現在のパラメータ値を受信するステップ、
前記測定された現在のパラメータ値から、アクティブな前記ネットワークの領域を決定し、全ての他の領域は非アクティブとするステップ、
前記流体処理ネットワークのモデルから、前記ネットワークの非アクティブ領域を除き、現在のアクティブなネットワークモデルを提供するステップ、
少なくとも前記既知の地点から離れた地点において、現在のアクティブなネットワークの現在のパラメータ値を決定するステップであって、前記離れた地点における前記パラメータ値は、前記測定された現在のパラメータ値及び前記現在のアクティブなネットワークモデルを用いて決定されるステップ、
前記現在のパラメータ値に基づいて、１又は２以上の事前に特定された境界が侵入されたかを決定するステップ、及び
１又は２以上の前記境界が侵入された場合に、予め定められた動作を実行するステップ、
を備える方法。
【請求項２】
前記現在のアクティブなネットワークモデルは、前記測定された現在のパラメータ値の周期的に受信されるアップデート情報を用いて、周期的にアップデートされる、
請求項１に記載の方法。
【請求項３】
アクティブになった非アクティブ領域、又は、非アクティブになったアクティブ領域が、前記測定された現在のパラメータ値の前記アップデート情報から決定される、
請求項２に記載の方法。
【請求項４】
パラメータ境界は、予め定められた定数境界、可変境界、又は、１又は２以上の前記パラメータ値から導出される数学的制約のいずれかを含む、
請求項１から３のいずれか１項に記載の方法。
【請求項５】
少なくとも１つの予め定められたリスクは、パラメータ境界の外の所与のパラメータと関連付けられる、
請求項１から４のいずれか１項に記載の方法。
【請求項６】
前記予め定められた動作は、
ネットワークオペレータに通知を発行すること、及び、自動化されたネットワークコントロールシステムに命令を発行することの１以上から選択される、
請求項１から５のいずれか１項に記載の方法。
【請求項７】
測定されたパラメータ値が受信される前記現在のアクティブなネットワークの既知の地点に対して、前記現在のパラメータ値が決定される、
請求項１から６のいずれか１項に記載の方法。
【請求項８】
既知の地点に対して測定された前記現在のパラメータ値は、前記流体処理ネットワークの前記モデルに一致する態様で同一地点に対して決定された対応する前記現在のパラメータ値に置き換えられる、
請求項７に記載の方法。
【請求項９】
前記ネットワークの１つ又は２つ以上の流体処理部はそれぞれが、予め定められた２又は３以上のコンポーネントモデルと関連付けられ、
予め定められた２又は３以上のコンポーネントモデルと関連付けられる各コンポーネントに対して、前記流体処理ネットワークの少なくとも１つのコンディションに依存する前記流体処理ネットワークの前記モデルを生成するのに用いるために、前記予め定められた２又は３以上のコンポーネントモデルの一つが選択され、
前記ネットワークの１又は２以上のコンポーネントが、前記流体処理ネットワークの全コンディションに対してモデルを生成するのに用いられる、少なくとも１つのコンポーネントモデルと関連付けられる、
請求項１から８のいずれか１項に記載の方法。
【請求項１０】
前記流体処理ネットワークの前記モデルを生成するのに用いられた特定のコンポーネントについての前記コンポーネントモデルを決定する前記流体処理ネットワークの前記少なくとも１つのコンディションは、
１又は２以上の前記ネットワークの現在のパラメータ値、１又は２以上の前記ネットワークの予期される将来パラメータ値、及び、前記流体処理ネットワーク中の１又は２以上の化学種の存在、
の１つ以上を含み、
前記モデルを生成するのに用いられるコンポーネントモデルの選択の変化を引き起こす前記流体処理ネットワークのコンディションの変化に応答して、前記モデルが修正される、
請求項９に記載の方法。
【請求項１１】
（ａ）経時的に前記ネットワークの設定に予め定められた変更の組がなされる場合、又は、（ｂ）前記ネットワークの現在の設定に変更がなされない場合、将来の時点の前記パラメータ値を予測するために、前記現在のパラメータ値は、初期ポイントとして前記モデルと併せて用いられる、
請求項１から１０のいずれか１項に記載の方法。
【請求項１２】
前記流体処理ネットワークの前記モデルは、非アクティブになる領域の除去、及び／又は、アクティブになる領域の追加による、将来の挙動の計算の間にアップデートされてよく、そのような領域は予測された前記パラメータ値に基づいて自動的に決定される、
請求項１１に記載の方法。
【請求項１３】
前記流体処理ネットワークの前記モデルは、予め定められた１以上のコンポーネントモデルに関連付られたそれらのコンポーネントからの、１又は２以上のコンポーネントについての異なるコンポーネントモデルの選択による、将来の挙動の計算の間にアップデートされてよく、そのような選択は、予測された前記パラメータ値に基づいて自動的に決定される、
請求項１１又は１２に記載の方法。
【請求項１４】
前記流体処理ネットワークの前記現在の挙動と、請求項１１の（ａ）および／または（ｂ）の１以上における前記流体処理ネットワークの将来の挙動とは、複数同時計算により決定される、
請求項１１から１３のいずれか１項に記載の方法。
【請求項１５】
複数の流体処理領域を備える流体処理ネットワークをモニタリングするシステムであって、
前記ネットワークの既知の地点で、測定された現在のパラメータ値を受信する手段と、
前記測定された現在のパラメータ値から、アクティブな前記ネットワークの領域を決定し、全ての他の領域は非アクティブとする手段と、
前記流体処理ネットワークのモデルから、前記ネットワークの非アクティブ領域を除き、現在のアクティブなネットワークモデルを提供する手段と、
少なくとも前記既知の地点から離れた地点において、前記現在のアクティブなネットワークの現在のパラメータ値を決定する手段であって、前記離れた地点における前記パラメータ値は、前記測定された現在のパラメータ値及び前記現在のアクティブなネットワークモデルを用いて決定される手段と、
前記現在のパラメータ値に基づいて、１又は２以上の事前に特定された境界が侵入されたかを決定する手段と、
１又は２以上の前記境界が侵入された場合に、予め定められた動作を実行する手段と、
を備えるシステム。
【請求項１６】
コンピュータで実行されたときに請求項１から１４のいずれか１項の方法を当該コンピュータに実行させるコンピュータ可読コードを担持する、
キャリアメディア。
【請求項１７】
機械可読記憶媒体と、
プログラム可能システムに実行されたときにシステムに請求項１から１４のいずれか１項の方法を実行させる、機械可読格納媒体に具現化される実行可能プログラム命令と、
を備える製品。
【手続補正２】
【補正対象書類名】明細書
【補正対象項目名】０２０７
【補正方法】変更
【補正の内容】
【０２０７】
本発明は、特定の例示的な実施形態を単位として説明されたが、以下に続く特許請求の範囲に記載された本発明の領域から離れることなく、ここに開示される特徴の様々な変形、代替、及び／又は組み合わせが当業者にとって明確であることが明らかであろう。以下に本発明の実施形態の例を項目として示す。
［項目１］
複数の流体処理領域を備える流体処理ネットワークをモニタリングする方法であって、
ネットワークの既知の地点で、測定された現在のパラメータ値を受信するステップ、
測定された現在のパラメータ値から、アクティブなネットワークの領域を決定し、全ての他の領域は非アクティブとするステップ、
流体処理ネットワークのモデルから、ネットワークの非アクティブ領域を除き、現在のアクティブなネットワークモデルを提供するステップ、
少なくとも既知の地点から離れた地点において、現在のアクティブなネットワークの現在のパラメータ値を決定するステップであって、離れた地点におけるパラメータ値は、測定された現在のパラメータ値及び現在のアクティブなネットワークモデルを用いて決定されるステップ、
現在のパラメータ値に基づいて、１又は２以上の事前に特定された境界が侵入されたかを決定するステップ、及び
１又は２以上の境界が侵入された場合に、予め定められた動作を実行するステップ、
を備える方法。
［項目２］
現在のアクティブなネットワークモデルは、測定された現在のパラメータ値の周期的に受信されるアップデート情報を用いて、周期的にアップデートされる
項目１に記載の方法。
［項目３］
アクティブになった非アクティブ領域、又は、非アクティブになったアクティブ領域が、測定された現在のパラメータ値のアップデート情報から決定される、
項目２に記載の方法。
［項目４］
測定された現在のパラメータ値、決定された現在のパラメータ値、及び、事前に特定されたパラメータ境界は、流体圧力、流体温度、管及び／又は管壁温度、流体流速、及び、管中の液体水位から選択される、
項目１から３のいずれか１項に記載の方法。
［項目５］
パラメータ境界は、予め定められた定数境界を含む、
項目１から４のいずれか１項に記載の方法。
［項目６］
パラメータ境界は、可変境界、又は、１又は２以上のパラメータ値から導出される数学的制約を含む、
項目１から５のいずれか１項に記載の方法。
［項目７］
少なくとも１つの予め定められたリスクは、パラメータ境界の外の所与のパラメータと関連付けられる、
項目１から６のいずれか１項に記載の方法。
［項目８］
予め定められたリスクは、管破壊リスク、管閉塞リスク、及び爆発リスクを含む、
項目７に記載の方法。
［項目９］
予め定められた動作は、
ネットワークオペレータに通知を発行すること、及び、自動化されたネットワークコントロールシステムに命令を発行することの１以上から選択される、
項目１から８のいずれか１項に記載の方法。
［項目１０］
通知は、１又は２以上の境界に侵入する現在のパラメータ値に関連するリスクの識別を含む、
項目９に記載の方法。
［項目１１］
測定されたパラメータ値が受信される現在のアクティブなネットワークの既知の地点に対して、現在のパラメータ値が決定される、
項目１から１０のいずれか１項に記載の方法。
［項目１２］
既知の地点に対して測定された現在のパラメータ値は、流体処理ネットワークのモデルに一致する態様で同一地点に対して決定された対応する現在のパラメータ値に置き換えられる、
項目１１に記載の方法。
［項目１３］
現在のアクティブなネットワークモデルは、ネットワークの受信された設定値に基づく、ネットワークの設定値を含む、
項目１から１２のいずれか１項に記載の方法。
［項目１４］
ネットワークの設定値は、ネットワークのバルブ設定値を含む、
項目１３に記載の方法。
［項目１５］
１又は２以上の事前に特定された境界は、ネットワークの１又は２以上の事前に特定された各地点に適用する、
項目１から１４のいずれか１項に記載の方法。
［項目１６］
ネットワークはフレアネットワークである、項目１から１５のいずれか１項に記載の方法。
［項目１７］
コンピュータで実行されたときに当該コンピュータに項目１から１６のいずれか１項の方法を実行させる、
コンピュータープログラムコード。
［項目１８］
コンピュータで実行されたときに項目１から１６のいずれか１項の方法を当該コンピュータに実行させるコンピュータ可読コードを担持する、
キャリアメディア。
［項目１９］
項目１８に記載のコンピュータ可読コードを備える、
コンピュータプログラム製品。
［項目２０］
機械可読記憶媒体と、
プログラム可能システムに実行されたときにシステムに項目１から１６のいずれか１項の方法を実行させる、機械可読格納媒体に具現化される実行可能プログラム命令と、
を備える製品。
［項目２１］
複数の流体処理部から形成される流体処理ネットワークをモニタリングする方法であって、各流体処理部が１又は２以上の予め定められたコンポーネントモデルに関連付けられる方法であって、
ネットワークの既知の地点で測定された現在のパラメータ値を受信する段階と、
予め定められたコンポーネントモデルの選択から流体処理ネットワークのモデルを生成する段階と、
少なくとも既知の地点から離れた地点においてネットワークの現在のパラメータ値を決定し、離れた地点のパラメータ値を、測定された現在のパラメータ値及びネットワークモデルを使用して決定する段階と、
現在のパラメータ値が１又は２以上の予め定められた境界を侵入するかを決定する段階と、
１以上の境界が侵入されたと決定する場合、予め定められた動作を実行する段階とを備え、
ネットワークの１又は２以上の流体処理部はそれぞれが、予め定められた２又は３以上のコンポーネントモデルと関連付けられ、
予め定められた２又は３以上のコンポーネントモデルと関連付けられる各コンポーネントに対して、流体処理ネットワークの少なくとも１つのコンディションに依存する流体処理ネットワークのモデルを生成するのに用いるために、予め定められた２又は３以上のコンポーネントモデルの一つが選択される、
方法。
［項目２２］
流体処理ネットワークのモデルを生成するのに用いられた特定のコンポーネントについてのコンポーネントモデルを決定する流体処理ネットワークの少なくとも１つのコンディションは、
１又は２以上のネットワークの現在のパラメータ値、１又は２以上のネットワークの予期される将来パラメータ値、及び、流体処理ネットワーク中の１又は２以上の化学種の存在、
の１つ以上を含む、項目２１に記載の方法。
［項目２３］
ネットワークの１又は２以上のコンポーネントが、流体処理ネットワークの全コンディションに対してモデルを生成するのに用いられる、少なくとも１つのコンポーネントモデルと関連付けられる、項目２１又は２２に記載の方法。
［項目２４］
モデルを生成するのに用いられるコンポーネントモデルの選択の変化を引き起こす流体処理ネットワークのコンディションの変化に応答して、モデルが修正される、
項目２１から２３のいずれか１項に記載の方法。
［項目２５］
測定された現在のパラメータ値、決定された現在のパラメータ値、及び、予め定められたパラメータ境界が、流体圧力、流体温度、管及び／又は管壁温度、流体流速、及び／又は、管の液体の水位から選択される、
項目２１から２４のいずれか１項に記載の方法。
［項目２６］
パラメータ境界は、予め定められた定数境界を有する項目１９から２５のいずれか１項に記載の方法。
［項目２７］
パラメータ境界は、可変境界又は１以上のパラメータの値から導出される数学的制約を含む、
項目２１から２６のいずれか１項に記載の方法。
［項目２８］
１以上の予め定められた境界は、ネットワークの事前に特定された１又は２以上の個別の地点に適用する、
項目２１から２７のいずれか１項に記載の方法。
［項目２９］
少なくとも１つの予め定められたリスクが、パラメータ境界に侵入する所与のパラメータに関連付けられる、
項目２１から２８のいずれか１項に記載の方法。
［項目３０］
予め定められたリスクは、管破壊リスク、管閉塞リスク、及び、爆発リスクを含む、
項目２９に記載の方法。
［項目３１］
予め定められた動作は、ネットワークオペレータに通知を発行すること、及び、自動化されたネットワークコントロールシステムに命令を発行することの１以上から選択される、
項目２１から３０のいずれか１項に記載の方法。
［項目３２］
通知は、１以上の境界に侵入する現在のパラメータ値に関連するリスクの識別を含む、項目３１に記載の方法。
［項目３３］
現在のパラメータ値は、測定されたパラメータ値が受信されるネットワークの既知の地点について、決定される、
項目２１から３２のいずれか１項に記載の方法。
［項目３４］
既知の地点について測定された現在のパラメータ値は、流体処理ネットワークのモデルと一致する態様で、同一地点に対して決定された対応する現在のパラメータ値と置き換えられる、
項目３３に記載の方法。
［項目３５］
ネットワークモデルは、ネットワークの設定の受信値に基づくネットワークの設定値を含む、
項目２１から３４のいずれか１項に記載の方法。
［項目３６］
ネットワークの設定値は、ネットワークのバルブ設定値を含む、
項目３５に記載の方法。
［項目３７］
複数の流体処理部は、管セグメント、バルブ、及び流体チャンバを含む、
項目２１から３６のいずれか１項に記載の方法。
［項目３８］
ネットワークは、フレアネットワークである、項目２１から３７のいずれか１項に記載の方法。
［項目３９］
コンピュータで実行されたときに当該コンピュータに項目２１から３８のいずれか１項の方法を実行させる、
コンピュータープログラムコード。
［項目４０］
コンピュータで実行されたときに項目２１から３８のいずれか１項の方法を当該コンピュータに実行させるコンピュータ可読コードを担持する、
キャリアメディア。
［項目４１］
項目４０に記載のコンピュータ可読コードを備える、
コンピュータプログラム製品。
［項目４２］
機械可読記憶媒体と、
プログラム可能システムに実行されたときにシステムに項目２１から３８のいずれか１項の方法を実行させる、機械可読格納媒体に具現化される実行可能プログラム命令と、
を備える製品。
［項目４３］
流体処理ネットワークをモニタリングする方法であって、
ネットワークの既知の地点において測定された現在のパラメータ値を受信するステップと、
少なくとも既知の地点から離れた地点における現在のパラメータ値を決定するステップであって、離れた地点におけるパラメータ値を、測定されるパラメータ値をネットワークのモデルに適用することにより決定するステップと、
各々がネットワークの１以上の地点に関連付けられた予め定められたリスクの群から、分析されるべき１以上のリスクを選択するステップと、
各選択されたリスクについて、ネットワークの関連する１又は２以上の地点のリスクが、その１又は２以上の地点におけるリスクについての予め定められた許容可能リスク限界を超えるかを決定するステップと、
リスクが予め定められた許容可能リスク限界を超える場合、予め定められた動作を実行するステップと、を備え、
リスクに関連づけられる１又は２以上の地点の現在のパラメータが、予め定められたリスク選択要求を満たす場合、リスクが分析のために選択される、
方法。
［項目４４］
予め定められたリスクの１以上の群が、解析のために選択されない項目４３に記載の方法。
［項目４５］
予め定められたリスクの各々は、侵入されるべきでない少なくとも１つのパラメータ境界を定義する項目４３又は４４に記載の方法。
［項目４６］
測定された現在のパラメータ値、境界及び決定された現在のパラメータ値及び予め定められたパラメータ境界が、流体圧力、流体温度、管及び／又は管壁温度、流体流速、及び、管中の液体水位から選択される、
項目４３から４５のいずれか１項に記載の方法。
［項目４７］
パラメータ境界は、可変境界又は１以上のパラメータ値から導出される数学的制約を含む、
項目４３から４６のいずれか１項に記載の方法。
［項目４８］
予め定められた動作は、ネットワークオペレータへの通知を発行すること、及び、自動化されたネットワークコントロールシステムへの命令を発行すること、の１以上から選択される、
項目４３から４７のいずれか１項に記載の方法。
［項目４９］
通知は、超えられたリスク限界の識別を含む、項目４８に記載の方法。
［項目５０］
予め定められたリスクは、管破壊リスク、管閉塞リスク、及び爆発リスクを含む、項目４３から４９のいずれか１項に記載の方法。
［項目５１］
現在のパラメータ値は、測定されたパラメータ値が受信される現在アクティブなネットワークの既知の地点について決定される、
項目４３から５０のいずれか１項に記載の方法。
［項目５２］
既知の地点についての測定された現在のパラメータ値は、流体処理ネットワークのモデルと一致する態様で、同一の地点に対して決定された対応する現在のパラメータ値と置き換えられる、項目５１に記載の方法。
［項目５３］
現在ネットワークモデルは、ネットワークの設定の受信値に基づいたネットワークの設定値を含む、
項目４３から５２のいずれか１項に記載の方法。
［項目５４］
ネットワークの設定値は、ネットワークのバルブの設定値を含む、項目５３に記載の方法。
［項目５５］
ネットワークはフレアネットワークである項目４３から５４のいずれか１項に記載の方法。
［項目５６］
コンピュータで実行されたときに当該コンピュータに項目４３から５５のいずれか１項の方法を実行させる、
コンピュータープログラムコード。
［項目５７］
コンピュータで実行されたときに項目４３から５５のいずれか１項の方法を当該コンピュータに実行させるコンピュータ可読コードを担持する、
キャリアメディア。
［項目５８］
項目５７に記載のコンピュータ可読コードを備える、
コンピュータプログラム製品。
［項目５９］
機械可読記憶媒体と、
プログラム可能システムに実行されたときにシステムに項目４３から５５のいずれか１項の方法を実行させる、機械可読格納媒体に具現化される実行可能プログラム命令と、
を備える製品。
［項目６０］
流体処理ネットワークをモニタリングする方法であって、
ネットワークの既知の地点において測定された現在のパラメータ値を受信するステップと、
ネットワークの設定値を受信するステップと、
少なくとも既知の地点から離れた地点における現在のパラメータ値を決定するステップであって、離れた地点におけるパラメータ値を、測定されるパラメータ値をネットワークのモデルに適用することにより決定するステップと、
ネットワークの設定に対して予め定められた変更がなされる場合、又は、ネットワークの設定に変更がされない場合における、将来の時点のパラメータ値を予測するステップと、
予め定められた変更がなされること又は変更がされないことにより、１又は２以上の予測されたパラメータ値を、予め定められたパラメータ境界に侵入させる効果を生じさせることが決定される場合に、予め定められた動作を実行するステップと、
を備える方法。
［項目６１］
ネットワークの設定値は、ネットワークバルブ設定値を有する、項目６０に記載の方法。
［項目６２］
測定された現在のパラメータ値、決定された現在のパラメータ値及び予め定められたパラメータ境界は、流体圧力、流体温度、管及び／又は管壁温度、流体流速、及び管中の液体水位から選択される、
項目６０又は６１に記載の方法。
［項目６３］
パラメータ境界は、予め定められた定数境界を有する、
項目６０から６２のいずれか１項に記載の方法。
［項目６４］
パラメータ境界は、可変境界又は１以上のパラメータの値から導出される数学的制約を含む、
項目６０から６３のいずれか１項に記載の方法。
［項目６５］
少なくとも１つの予め定められたリスクが、パラメータ境界の外の所与のパラメータと関連付けられる、項目６０から６４のいずれか１項に記載の方法。
［項目６６］
予め定められたリスクは、管破壊リスク、管閉塞リスク、及び、爆発リスクを含む、項目６５に記載の方法。
［項目６７］
予め定められた動作は、ネットワークオペレータへの通知を発行すること、及び、自動化されたネットワークコントロールシステムへの命令を発行すること、の１以上から選択される、項目６０から６６のいずれか１項に記載の方法。
［項目６８］
通知は、１以上の境界に侵入する現在のパラメータ値と関連するリスクの識別を含む、項目６７に記載の方法。
［項目６９］
現在のパラメータ値は、測定されたパラメータ値が受信される現在のネットワークの既知の地点について決定される、項目６０から６８のいずれか１項に記載の方法。
［項目７０］
既知の地点について測定された現在のパラメータ値は、流体処理ネットワークのモデルと一致する態様で同一の地点について決定された対応する現在のパラメータ値と置き換えられる、項目６９に記載の方法。
［項目７１］
現在アクティブなネットワークのモデルは、ネットワークの設定の受信値に基づくネットワークの設定値を含む、項目６０から７０のいずれか１項Ｉに記載の方法。
［項目７２］
ネットワークの設定値は、ネットワークのバルブ設定値を含む、項目６０から７１のいずれか１項に記載の方法。
［項目７３］
１又は２以上の事前に特定された境界は、ネットワークの事前に特定された１以上の地点の各々に適用する、
項目６０から７２のいずれか１項に記載の方法。
［項目７４］
ネットワークはフレアネットワークである、項目６０から７３のいずれか１項に記載の方法。
［項目７５］
コンピュータで実行されたときに当該コンピュータに項目６０から７４のいずれか１項の方法を実行させる、
コンピュータープログラムコード。
［項目７６］
コンピュータで実行されたときに項目６０から７４のいずれか１項の方法を当該コンピュータに実行させるコンピュータ可読コードを担持する、
キャリアメディア。
［項目７７］
項目７６に記載のコンピュータ可読コードを備える、
コンピュータプログラム製品。
［項目７８］
機械可読記憶媒体と、
プログラム可能システムに実行されたときにシステムに項目６０から７４のいずれか１項の方法を実行させる、機械可読格納媒体に具現化される実行可能プログラム命令と、
を備える製品。
［項目７９］
流体処理ネットワークの流体開放サブネットワークをモニタリングする方法であって、
サブネットワークの既知の地点で測定された現在のパラメータ値を受信する段階と、
少なくとも既知の地点から離れた地点でサブネットワークの現在のパラメータ値を決めることであって、離れた地点のパラメータ値を、測定された現在のパラメータ値及び現在のアクティブなネットワークモデルを用いて決定する段階と、
現在のパラメータ値に基づいて、１以上の事前に特定された境界が侵入されたかを決定する段階と、
１以上の境界が侵入された場合、予め定められた動作を実行する段階と、
を備える方法。
［項目８０］
流体開放サブネットワークはフレアネットワークである、項目７９に記載の方法。
［項目８１］
測定される現在のパラメータ値、決定された現在のパラメータ値、及び事前に特定されたパラメータ境界は、流体圧力、流体温度、管及び／又は管壁温度、流体流速、及び、管中の液体水位から選択される、項目７９又は８０に記載の方法。
［項目８２］
パラメータ境界は、予め定められた定数境界を含む、項目７９から８１のいずれか１項に記載の方法。
［項目８３］
パラメータ境界は、可変境界、又は、１以上のパラメータ値を含むことから導出される数学的制約を有する、
項目７９から８２のいずれか１項に記載の方法。
［項目８４］
少なくとも１つの予め定められたリスクがパラメータ境界の外の所与のパラメータと関連付けられる、項目７９から８３のいずれか１項に記載の方法。
［項目８５］
予め定められたリスクは、管破壊リスク、管閉塞リスク、及び爆発リスクを含む、項目８４に記載の方法。
［項目８６］
予め定められた動作は、ネットワークオペレータに通知を発行すること、及び、自動化されたネットワークコントロールシステムに命令を発行すること、の１以上から選択される、
項目７９から８５のいずれか１項に記載の方法。
［項目８７］
通知は、１以上の境界に侵入する現在のパラメータ値に関連するリスクの識別を含む、
項目８６に記載の方法。
［項目８８］
現在のパラメータ値は、測定されたパラメータ値が受信されるサブネットワークの既知の地点について決定される、
項目７９から８７のいずれか１項に記載の方法。
［項目８９］
既知の地点について測定された現在のパラメータ値は、流体処理ネットワークのモデルと一致する態様で同一の地点について決定された対応する現在のパラメータ値と置き換えられる、
項目８８に記載の方法。
［項目９０］
サブネットワークモデルは、サブネットワークの設定の受信値に基づく、ネットワークの設定値を含む、
項目７９から８９に記載の方法。
［項目９１］
サブネットワークの設定値は、ネットワークのバルブ設定値を含む、項目９０に記載の方法。
［項目９２］
１又は２以上の予め定められた境界は、ネットワークの予め定められた１又は２以上の各地点に適用する、項目７９から９１のいずれか１項に記載の方法。
［項目９３］
コンピュータで実行されたときに当該コンピュータに項目７９から９２のいずれか１項の方法を実行させる、
コンピュータープログラムコード。
［項目９４］
コンピュータで実行されたときに項目７９から９２のいずれか１項の方法を当該コンピュータに実行させるコンピュータ可読コードを担持する、
キャリアメディア。
［項目９５］
項目９４に記載のコンピュータ可読コードを備える、
コンピュータプログラム製品。
［項目９６］
機械可読記憶媒体と、
プログラム可能システムに実行されたときにシステムに項目７９から９２のいずれか１項の方法を実行させる、機械可読格納媒体に具現化される実行可能プログラム命令と、
を備える製品。
【国際調査報告】
2015507275.tif 000013
2015507275.tif 000014
2015507275.tif 000015
2015507275.tif 000016